(57)【要約】 【課題】ＰＤＰの高精細化に伴って輝度および発光効率が低下するのを防止する。【解決手段】ＰＤＰの透明電極Ｘ１ｂ，Ｙ１ｂの行方向において中央に位置する第１突出電極Ｘ１ｂ１，Ｙ１ｂ１が第１バス電極Ｘ１ａ１，Ｙ１ａ１に接続され、両側に位置する第２および第３突出電極Ｘ１ｂ２，Ｘ１ｂ３，Ｙ１ｂ２，Ｙ１ｂ３が第２バス電極Ｘ１ａ２，Ｙ１ａ２に接続され、透明電極Ｘ１ｂ，Ｙ１ｂと誘電体層１２を挟んで対向する位置に第１〜第３電界制御用電極Ｚｘ１〜Ｚｘ３，Ｚｙ１〜Ｚｙ３が設けられて、各電界制御用電極が、それぞれ対応する突出電極毎に基板の厚さ方向において対向して誘電体層を介して容量結合されている。【選択図】図３
2008108506.tif 000002
【特許請求の範囲】
【請求項１】
放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、
前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、
前記行電極対を構成する各行電極の電極本体部がそれぞれ複数のバス電極を有し、各透明電極が行方向に並設された三個以上の複数の突出電極を有し、各突出電極が、対になっている他方の行電極の透明電極の複数の突出電極とそれぞれ互いに対になって対向され、
前記透明電極の行方向において中央側に位置する突出電極と両側に位置する突出電極とが、電極本体部の互いに異なるバス電極に接続され、
前記透明電極と誘電体層を挟んで対向する放電空間側の位置に透明電極の各突出電極にそれぞれ対応する複数の各々独立した電界制御用電極が設けられて、各電界制御用電極が、それぞれ対応する突出電極毎に基板の厚さ方向において対向して誘電体層を介して容量結合されている、
ことを特徴とするプラズマディスプレイパネル。
【請求項２】
前記行電極対を構成する行電極の電極本体部がそれぞれ二本のバス電極を有し、透明電極がそれぞれ三本の突出電極を有し、三本の突出電極のうちの中央に位置する突出電極が二本のバス電極のうちの一方のバス電極に接続され、両側に位置する突出電極が他方のバス電極に接続されている請求項１に記載のプラズマディスプレイパネル。
【請求項３】
前記透明電極の各突出電極とそれぞれの突出電極に対向する電界制御用電極との基板の厚さ方向における重なり面積が、互いにほぼ同じ大きさになっている請求項１に記載のプラズマディスプレイパネル。
【請求項４】
前記透明電極の行方向において中央側に位置する突出電極の両側に位置する複数の突出電極が一体的に形成されて、電極本体部のバス電極との接続部が共用されている請求項１に記載のプラズマディスプレイパネル。
【請求項５】
前記行電極対の互いに対になっている行電極の透明電極に対応して設けられた電界制御用電極同士が互いに対になってそれぞれ所要の間隔を空けて対向されている請求項１に記載のプラズマディスプレイパネル。
【請求項６】
前記電界制御用電極が、それぞれ、対になっている他方の電界制御用電極に対向する先端部に、他方の電界制御用電極側に向かって突出する突起部を有している請求項５に記載のプラズマディスプレイパネル。
【請求項７】
請求項１に記載されたプラズマディスプレイパネルにおいて、前記行電極対を構成する行電極に交互に電圧が印加されてこの行電極の透明電極間において単位発光領域内で放電が発生され、この行電極に電圧が印加される際に、電極本体部の複数のバス電極のうち、透明電極の行方向において中央側に位置する突出電極が接続されたバス電極に、両側に位置する突出電極が接続されたバス電極よりも小さい同極性の電圧が印加されることを特徴とするプラズマディスプレイパネルの駆動方法。
【請求項８】
請求項１に記載されたプラズマディスプレイパネルにおいて、前記行電極対を構成する行電極に電圧が印加されてこの行電極の透明電極間において単位発光領域内で放電が発生され、この行電極に電圧が印加される際に、交互に、一方の側の行電極の複数のバス電極に同じ大きさの電圧が印加され、他方の側の行電極の電極本体部の複数のバス電極のうち、透明電極の行方向において中央側に位置する突出電極が接続されたバス電極に、一方の側の行電極のバス電極に印加される電圧よりも絶対値が小さい逆極性の電圧が印加されることを特徴とするプラズマディスプレイパネルの駆動方法。
【請求項９】
請求項１に記載されたプラズマディスプレイパネルにおいて、前記行電極対を構成する行電極に電圧が印加されてこの行電極の透明電極間において単位発光領域内で放電が発生され、この行電極に電圧が印加される際に、交互に、一方の側の行電極の複数のバス電極に同じ大きさの電圧が印加され、他方の側の行電極の電極本体部の複数のバス電極のうち、透明電極の行方向において中央側に位置する突出電極の両側に位置する突出電極が接続されたバス電極に、一方の側の行電極のバス電極に印加される電圧よりも小さい同極性の電圧が印加されることを特徴とするプラズマディスプレイパネルの駆動方法。
【請求項１０】
放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、
前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、
前記透明電極が行方向に並設された三個以上の複数の突出電極を有し、各突出電極が、対になっている他方の行電極の透明電極の複数の突出電極とそれぞれ互いに対になって対向され、
前記透明電極と誘電体層を挟んで対向する放電空間側の位置に透明電極の各突出電極にそれぞれ対応する各々独立した複数の電界制御用電極が設けられて、各電界制御用電極が、それぞれ対応する突出電極毎に基板の厚さ方向において対向して誘電体層を介して容量結合されているとともに、
前記透明電極の行方向において中央側に位置する突出電極とこの突出電極に誘電体層を挟んで対向する電界制御用電極との基板の厚さ方向における重なり面積と、両側に位置する突出電極とこの突出電極に誘電体層を挟んで対向する電界制御用電極との基板の厚さ方向における重なり面積とが互いに異なっている、
ことを特徴とするプラズマディスプレイパネル。
【請求項１１】
前記透明電極の各突出電極が同じバス電極に接続されている請求項１０に記載のプラズマディスプレイパネル。
【請求項１２】
前記各電界制御用電極が互いに同じ大きさに形成されている請求項１０に記載のプラズマディスプレイパネル。
【請求項１３】
前記行電極対の互いに対になっている行電極の透明電極に対応して設けられた電界制御用電極同士が互いに対になってそれぞれ所要の間隔を空けて対向されている請求項１０に記載のプラズマディスプレイパネル。
【請求項１４】
前記透明電極の行方向において中央側に位置する突出電極の列方向の長さが両側に位置する突出電極の列方向の長さよりも短くなっていることによって、中央側に位置する突出電極と電界制御用電極との重なり面積が、両側に位置する突出電極と電界制御用電極との重なり面積よりも小さくなっている請求項１０に記載のプラズマディスプレイパネル。
【請求項１５】
前記行電極対を構成する行電極の一方の行電極の透明電極の行方向において中央側に位置する突出電極の列方向の長さが、両側に位置する突出電極の列方向の長さよりも短くなっていることによって、この一方の行電極の透明電極の中央側に位置する突出電極と電界制御用電極との重なり面積が、両側に位置する突出電極と電界制御用電極との重なり面積よりも小さくなっている請求項１０に記載のプラズマディスプレイパネル。
【請求項１６】
前記透明電極の行方向において中央側に位置する突出電極の列方向の長さが両側に位置する突出電極の列方向の長さよりも長くなっていることによって、中央側に位置する突出電極と電界制御用電極との重なり面積が、両側に位置する突出電極と電界制御用電極との重なり面積よりも大きくなっている請求項１０に記載のプラズマディスプレイパネル。
【請求項１７】
前記行電極対を構成する行電極の透明電極がそれぞれ三本の突出電極を有している請求項１０に記載のプラズマディスプレイパネル。
【請求項１８】
前記行電極対を構成する行電極の透明電極がそれぞれ五本の突出電極を有している請求項１０に記載のプラズマディスプレイパネル。
【請求項１９】
前記透明電極の各突出電極の列方向の長さが、行方向において中央に位置する突出電極が短く外側の突出電極ほど長くなっていて、電界制御用電極との重なり面積が、行方向において中央に位置する突出電極が小さく外側に位置する突出電極ほど大きくなっている請求項１８に記載のプラズマディスプレイパネル。
【請求項２０】
放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、
前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、
前記透明電極と誘電体層を挟んで対向する放電空間側の位置に行方向に並設されて透明電極と誘電体層を介して容量結合されるとともに各々独立した複数の電界制御用電極が設けられて、
前記透明電極が、電極本体部からの列方向の長さが行方向の中央位置からそれぞれ外側にゆくにしたがって変化する形状を有していて、この透明電極とこの透明電極に誘電体層を挟んで対向する各電界制御用電極との基板の厚さ方向における重なり面積が、透明電極の行方向における中央位置からそれぞれ外側にゆくにしたがって変化している、
ことを特徴とするプラズマディスプレイパネル。
【請求項２１】
前記透明電極が、電極本体部からの列方向の長さが行方向の中央位置が短くそれぞれ外側にゆくほど長くなる形状を有していて、この透明電極の行方向における中央部分とこの透明電極の中央部分に誘電体層を挟んで対向する電界制御用電極との基板の厚さ方向における重なり面積が小さく、透明電極の行方向においてそれぞれ外側に位置する部分ほど、この透明電極の外側部分に誘電体層を挟んで対向する電界制御用電極との基板の厚さ方向における重なり面積が大きくなっている請求項２０に記載のプラズマディスプレイパネル。
【請求項２２】
前記透明電極が、行方向において中央位置に頂点を有し、透明電極の先端側にゆくほど行方向の幅が大きくなる形状の凹部を有している請求項２０に記載のプラズマディスプレイパネル。
【請求項２３】
前記透明電極に形成された凹部が略Ｖ字形状を有している請求項２２に記載のプラズマディスプレイパネル。
【請求項２４】
前記透明電極に対向する電界制御用電極がそれぞれ五本の突出電極を有している請求項２０に記載のプラズマディスプレイパネル。
【請求項２５】
前記行電極対の互いに対になっている行電極の透明電極に対応して設けられた電界制御用電極同士が互いに対になってそれぞれ所要の間隔を空けて対向されている請求項２０に記載のプラズマディスプレイパネル。
【発明の詳細な説明】
【技術分野】
【０００１】
この発明は、プラズマディスプレイパネルの構成および駆動方法に関する。
【背景技術】
【０００２】
図１は、従来のプラズマディスプレイパネル（以下、ＰＤＰという）のセル構造を示す断面図である。
【０００３】
この図１において、パネルの表示面を構成する前面ガラス基板１の背面には、行方向に延びる複数の行電極対（Ｘ，Ｙ）が列方向に並設されて、この行電極対（Ｘ，Ｙ）が誘電体層２によって被覆されているとともに、この誘電体層２が酸化マグネシウムによって形成された保護層３によって被覆されている。
【０００４】
前面ガラス基板１と放電空間を介して対向する背面ガラス基板４の放電空間側の面に列方向に延びる複数の列電極Ｄが行方向に並設されて、この列電極Ｄが列電極保護層５によって被覆されている。
【０００５】
そして、行電極対（Ｘ，Ｙ）と列電極Ｄがそれぞれ交差する部分の放電空間に、パネル面に沿ってマトリクス状に配列される放電セルＣが形成されており、この各放電セルＣが、列電極保護層５上に形成された略格子形状の隔壁６によってそれぞれ区画されていて、この放電セルＣ内に、赤，緑，青の三原色に色分けされた蛍光体層７が形成されている。
【０００６】
このＰＤＰの放電空間内には、ネオンとキセノンの混合ガスからなる放電ガスが封入されている。
【０００７】
このような構成のＰＤＰは、行電極対（Ｘ，Ｙ）の対になっている行電極Ｘ，Ｙ間において一斉にリセット放電が行われ、次に、行電極Ｙと列電極Ｄとの間で選択的にアドレス放電が発生されることによって、放電セルＣに対向する部分の誘電体層２に壁電荷が形成された発光セルと誘電体層２の壁電荷が消去された非発光セルがパネル面に分布される。
【０００８】
そして、この後、発光セル内において対になっている行電極Ｘ，Ｙ間でサステイン放電が行われて、放電空間内の放電ガス中のキセノンから真空紫外線が放射され、この真空紫外線によって赤，緑，青の蛍光体層７がそれぞれ励起されて発光することにより、パネル面に、映像信号に対応したマトリクス表示による画像が形成される。
【０００９】
このような構成の従来のＰＤＰにおいては、パネルの高精細化を図ろうとすると、このパネルの高精細化に伴う放電セルＣのサイズの縮小に伴って、パネルの輝度および発光効率が低下してしまうという問題が発生する。
【００１０】
従来のＰＤＰにおいて上記のような問題が発生する理由は、以下の通りである。
【００１１】
すなわち、グロー放電プラズマの基本的構造を示す図２において、それぞれ、放電管Ｔの電極Ｅ１とＥ２の間隔をｘとし、陽光柱と陽極グロー，陽極暗部を含む部分の長さをｙ、負グローおよびファラデ暗部を含む部分の長さをｃ、陰極降下部の長さをｄとすると、陽光柱を含む部分の長さｙは、
ｙ＝ｘ−（ｄ＋ｃ）
となる。
【００１２】
ここで、この放電管Ｔの電極Ｅ１とＥ２間の長さｘが短くなった場合を考えると、負グローおよびファラデ暗部を含む部分の長さｃと陰極降下部の長さｄとの和（ｄ＋ｃ）は変化しないため、陽光柱を含む部分の長さｙは、電極Ｅ１とＥ２の間隔ｘが短くなるほど短くなってしまい、この電極Ｅ１とＥ２の間隔ｘが（ｄ＋ｃ）と等しくなると、陽光柱は発生しなくなってしまうことになる。
【００１３】
これと同様の現象が、図１の従来のＰＤＰにおいてパネルの高精細化が図られる際に発生する。
【００１４】
すなわち、図１において、パネルの高精細化によって放電セルＣのサイズが縮小されると、行電極ＸとＹの間隔が短くなり、このために、放電セルＣ内に放電によって発生する陽光柱ＰＣの長さｙ１が短くなるので、各放電セルＣにおける輝度および発光効率が低下してしまうことになる。
【００１５】
また、図１に示されるような従来のＰＤＰは、行電極対（Ｘ，Ｙ）を被覆する誘電体層２の厚さは２０μｍ程度であるため、放電セルＣ内の広い範囲に弱電界領域Ａが形成され、これによってグロー放電プラズマの陰極降下部も広範囲に形成されるので、陽光柱ＰＣの発生領域が狭くなって、これによっても、各放電セルＣにおける輝度および発光効率が低下してしまうことになる。
【００１６】
このような放電セルのサイズ縮小に伴う輝度および発光効率の低下が、ＰＤＰの高精細化を図る上での障害になっており、これらの問題を解決することが長年の課題になっている。
【発明の開示】
【発明が解決しようとする課題】
【００１７】
この発明は、上記のような従来のＰＤＰにおける課題を達成することをその解決課題の一つとしている。
【課題を解決するための手段】
【００１８】
第１の発明（請求項１に記載の発明）によるプラズマディスプレイパネルは、上記課題を解決するために、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、前記行電極対を構成する各行電極の電極本体部がそれぞれ複数のバス電極を有し、各透明電極が行方向に並設された三個以上の複数の突出電極を有し、各突出電極が、対になっている他方の行電極の透明電極の複数の突出電極とそれぞれ互いに対になって対向され、前記透明電極の行方向において中央側に位置する突出電極と両側に位置する突出電極とが、電極本体部の互いに異なるバス電極に接続され、前記透明電極と誘電体層を挟んで対向する放電空間側の位置に透明電極の各突出電極にそれぞれ対応する複数の各々独立した電界制御用電極が設けられて、各電界制御用電極が、それぞれ対応する突出電極毎に基板の厚さ方向において対向して誘電体層を介して容量結合されていることを特徴としている。
【００１９】
第２の発明（請求項７に記載の発明）によるプラズマディスプレイパネルの駆動方法は、前記課題を解決するために、前記第１の発明のプラズマディスプレイパネルにおいて、行電極対を構成する行電極に交互に電圧が印加されてこの行電極の透明電極間において単位発光領域内で放電が発生され、この行電極に電圧が印加される際に、電極本体部の複数のバス電極のうち、透明電極の行方向において中央側に位置する突出電極が接続されたバス電極に、両側に位置する突出電極が接続されたバス電極よりも小さい同極性の電圧が印加されることを特徴としている。
【００２０】
第３の発明（請求項８に記載の発明）によるプラズマディスプレイパネルの駆動方法は、前記課題を解決するために、前記第１の発明のプラズマディスプレイパネルにおいて、行電極対を構成する行電極に電圧が印加されてこの行電極の透明電極間において単位発光領域内で放電が発生され、この行電極に電圧が印加される際に、交互に、一方の側の行電極の複数のバス電極に同じ大きさの電圧が印加され、他方の側の行電極の電極本体部の複数のバス電極のうち、透明電極の行方向において中央側に位置する突出電極が接続されたバス電極に、一方の側の行電極のバス電極に印加される電圧よりも絶対値が小さい逆極性の電圧が印加されることを特徴としている。
【００２１】
第４の発明（請求項９に記載の発明）によるプラズマディスプレイパネルの駆動方法は、前記課題を解決するために、前記第１の発明のプラズマディスプレイパネルにおいて、行電極対を構成する行電極に電圧が印加されてこの行電極の透明電極間において単位発光領域内で放電が発生され、この行電極に電圧が印加される際に、交互に、一方の側の行電極の複数のバス電極に同じ大きさの電圧が印加され、他方の側の行電極の電極本体部の複数のバス電極のうち、透明電極の行方向において中央側に位置する突出電極の両側に位置する突出電極が接続されたバス電極に、一方の側の行電極のバス電極に印加される電圧よりも小さい同極性の電圧が印加されることを特徴としている。
【００２２】
第５の発明（請求項１０に記載の発明）によるプラズマディスプレイパネルは、前記課題を解決するために、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、前記透明電極が行方向に並設された三個以上の複数の突出電極を有し、各突出電極が、対になっている他方の行電極の透明電極の複数の突出電極とそれぞれ互いに対になって対向され、前記透明電極と誘電体層を挟んで対向する放電空間側の位置に透明電極の各突出電極にそれぞれ対応する各々独立した複数の電界制御用電極が設けられて、各電界制御用電極が、それぞれ対応する突出電極毎に基板の厚さ方向において対向して誘電体層を介して容量結合されているとともに、前記透明電極の行方向において中央側に位置する突出電極とこの突出電極に誘電体層を挟んで対向する電界制御用電極との基板の厚さ方向における重なり面積と、両側に位置する突出電極とこの突出電極に誘電体層を挟んで対向する電界制御用電極との基板の厚さ方向における重なり面積とが互いに異なっていることを特徴としている。
【００２３】
第６の発明（請求項２０に記載の発明）によるプラズマディスプレイパネルは、前記課題を解決するために、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、前記透明電極と誘電体層を挟んで対向する放電空間側の位置に行方向に並設されて透明電極と誘電体層を介して容量結合されるとともに各々独立した複数の電界制御用電極が設けられて、前記透明電極が、電極本体部からの列方向の長さが行方向の中央位置からそれぞれ外側にゆくにしたがって変化する形状を有していて、この透明電極とこの透明電極に誘電体層を挟んで対向する各電界制御用電極との基板の厚さ方向における重なり面積が、透明電極の行方向における中央位置からそれぞれ外側にゆくにしたがって変化していることを特徴としている。
【発明を実施するための最良の形態】
【００２４】
第１の発明は、ＰＤＰの行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、この行電極対を構成する各行電極の電極本体部がそれぞれ複数のバス電極を有し、各透明電極が行方向に並設された三個以上の複数の突出電極を有し、各突出電極が、対になっている他方の行電極の透明電極の複数の突出電極とそれぞれ互いに対になって対向され、透明電極の行方向において中央側に位置する突出電極と両側に位置する突出電極とが、電極本体部の互いに異なるバス電極に接続され、透明電極と誘電体層を挟んで対向する放電空間側の位置に透明電極の各突出電極にそれぞれ対応する複数の各々独立した電界制御用電極が設けられて、各電界制御用電極が、それぞれ対応する突出電極毎に基板の厚さ方向において対向して誘電体層を介して容量結合されているＰＤＰを、その最良の実施形態の一つとしている。
【００２５】
この実施形態におけるＰＤＰは、行電極の透明電極の各突出電極に対向してそれぞれ誘電体層を介して突出電極に容量結合された複数の電界制御用電極が設けられていることによって、行電極対の透明電極間で放電が発生される際に、互いに対になっている透明電極に対応して対になっている電界制御用電極間に所要の電位差が発生して、単位発光領域内に発生するグロー放電プラズマの陰極降下部が各電界制御用電極の近傍に限定されてその長さが短くなるので、その分、単位発光領域内において発生するプラズマの陽光柱の長さが長くなり、これによって、ＰＤＰの高精細化に伴って放電セルのサイズが縮小される場合でも、透明電極間で放電が発生される際に放電セル内に十分な長さの陽光柱を形成することが出来るので、発光輝度や発光効率の低下を防止することが出来る。
【００２６】
そして、このＰＤＰは、行電極対の透明電極間で放電が発生される際に、透明電極の行方向において中央側に位置する突出電極と両側に位置する突出電極に異なる大きさの電圧を印加して、それぞれの突出電極に誘電体層を介して容量結合された各電界制御用電極により単位発光領域内に形成される等電位線に歪みを発生させ、この等電位線の歪みに沿って壁電荷または電子を単位発光領域の中央側に集めることによって、透明電極間の放電によって発生するプラズマを単位発光領域の中央部に集中させて、単位発光領域の周囲の例えば隔壁等の構造物によるエネルギの損失を低減することが出来、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【００２７】
上記実施形態のＰＤＰの駆動方法の最良の実施形態としては、第１に、行電極対を構成する行電極に交互に電圧が印加されてこの行電極の透明電極間において単位発光領域内で放電が発生され、この行電極に電圧が印加される際に、電極本体部の複数のバス電極のうち、透明電極の行方向において中央側に位置する突出電極が接続されたバス電極に、両側に位置する突出電極が接続されたバス電極よりも小さい同極性の電圧が印加される駆動方法が挙げられ、第２に、行電極対を構成する行電極に電圧が印加されてこの行電極の透明電極間において単位発光領域内で放電が発生され、この行電極に電圧が印加される際に、交互に、一方の側の行電極の複数のバス電極に同じ大きさの電圧が印加され、他方の側の行電極の電極本体部の複数のバス電極のうち、透明電極の行方向において中央側に位置する突出電極が接続されたバス電極に、一方の側の行電極のバス電極に印加される電圧よりも絶対値が小さい逆極性の電圧が印加される駆動方法、第３に行電極対を構成する行電極に電圧が印加されてこの行電極の透明電極間において単位発光領域内で放電が発生され、この行電極に電圧が印加される際に、交互に、一方の側の行電極の複数のバス電極に同じ大きさの電圧が印加され、他方の側の行電極の電極本体部の複数のバス電極のうち、透明電極の行方向において中央側に位置する突出電極の両側に位置する突出電極が接続されたバス電極に、一方の側の行電極のバス電極に印加される電圧よりも小さい同極性の電圧が印加される駆動方法が挙げられる。
【００２８】
第５の発明は、ＰＤＰの行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、前記透明電極が行方向に並設された三個以上の複数の突出電極を有し、各突出電極が、対になっている他方の行電極の透明電極の複数の突出電極とそれぞれ互いに対になって対向され、前記透明電極と誘電体層を挟んで対向する放電空間側の位置に透明電極の各突出電極にそれぞれ対応する各々独立した複数の電界制御用電極が設けられて、各電界制御用電極が、それぞれ対応する突出電極毎に基板の厚さ方向において対向して誘電体層を介して容量結合されているとともに、前記透明電極の行方向において中央側に位置する突出電極とこの突出電極に誘電体層を挟んで対向する電界制御用電極との基板の厚さ方向における重なり面積と、両側に位置する突出電極とこの突出電極に誘電体層を挟んで対向する電界制御用電極との基板の厚さ方向における重なり面積とが互いに異なっているＰＤＰを、その最良の実施形態の一つとしている。
【００２９】
この実施形態におけるＰＤＰは、行電極の透明電極の各突出電極に対向してそれぞれ誘電体層を介して突出電極に容量結合された複数の電界制御用電極が設けられていることによって、行電極対の透明電極間で放電が発生される際に、互いに対になっている透明電極に対応して対になっている電界制御用電極間に所要の電位差が発生されて、単位発光領域内に発生するグロー放電プラズマの陰極降下部が各電界制御用電極の近傍に限定されてその長さが短くなるので、その分、単位発光領域内において発生するプラズマの陽光柱の長さが長くなり、これによって、ＰＤＰの高精細化に伴って放電セルのサイズが縮小される場合でも、サステイン放電時に放電セル内に十分な長さの陽光柱を形成することが出来ることによって発光輝度や発光効率の低下を防止することが出来る。
【００３０】
そして、このＰＤＰは、行電極対を構成する行電極に電圧を印加して、この行電極対における透明電極間で放電が発生される際に、透明電極の行方向において中央側に位置する突出電極とこの突出電極に誘電体層を挟んで対向する電界制御用電極との基板の厚さ方向における重なり面積と、両側に位置する突出電極とこの突出電極に誘電体層を挟んで対向する電界制御用電極との基板の厚さ方向における重なり面積とが互いに異なっていることによって、それぞれの突出電極に誘電体層を介して容量結合された各電界制御用電極により単位発光領域内に形成される等電位線に歪みが発生し、この等電位線の歪みに沿って壁電荷または電子が単位発光領域の中央側に集められるので、透明電極間の放電によって発生するプラズマを単位発光領域の中央部に集中させて、単位発光領域の周囲の例えば隔壁等の構造物によるエネルギの損失を低減することが出来、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【００３１】
第６の発明は、ＰＤＰの行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、前記透明電極と誘電体層を挟んで対向する放電空間側の位置に行方向に並設されて透明電極と誘電体層を介して容量結合されるとともに各々独立した複数の電界制御用電極が設けられて、前記透明電極が、電極本体部からの列方向の長さが行方向の中央位置からそれぞれ外側にゆくにしたがって変化する形状を有していて、この透明電極とこの透明電極に誘電体層を挟んで対向する各電界制御用電極との基板の厚さ方向における重なり面積が、透明電極の行方向における中央位置からそれぞれ外側にゆくにしたがって変化しているＰＤＰをその最良の実施形態の一つとしている。
【００３２】
この実施形態におけるＰＤＰは、行電極の透明電極に対向してそれぞれ誘電体層を介して突出電極に容量結合された複数の電界制御用電極が設けられていることによって、行電極対における透明電極間で放電が発生される際に、互いに対になっている透明電極に対応して対になっている電界制御用電極間に所要の電位差が発生して、単位発光領域内に発生するグロー放電プラズマの陰極降下部が、各電界制御用電極の近傍に限定されてその長さが短くなるので、その分、単位発光領域内において発生するプラズマの陽光柱の長さが長くなり、これによって、ＰＤＰの高精細化に伴って放電セルのサイズが縮小される場合でも、透明電極間で放電が発生される際に放電セル内に十分な長さの陽光柱を形成することが出来るので、発光輝度や発光効率の低下を防止することが出来る。
【００３３】
そして、このＰＤＰは、透明電極が、電極本体部からの列方向の長さが行方向の中央位置からそれぞれ外側にゆくにしたがって変化する形状を有していて、この透明電極とこの透明電極に誘電体層を挟んで対向する各電界制御用電極との基板の厚さ方向における重なり面積が、透明電極の行方向における中央位置からそれぞれ外側にゆくにしたがって変化していることによって、行電極対を構成する行電極に電圧を印加して、この行電極対における透明電極間で放電が発生される際に、透明電極に誘電体層を介して容量結合された各電界制御用電極によって単位発光領域内に形成される等電位線に歪みが発生し、この等電位線の歪みに沿って壁電荷または電子が単位発光領域の中央側に集められるので、透明電極間の放電によって発生するプラズマを単位発光領域の中央部に集中させて、単位発光領域の周囲の例えば隔壁等の構造物によるエネルギの損失を低減することが出来、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【実施例１】
【００３４】
図３ないし５は、この発明によるＰＤＰの実施形態の第１実施例を示しており、図３はこの第１実施例におけるＰＤＰを模式的に示す正面図であり、図４は図３のＶ−Ｖ線における断面図，図５は図３のＷ−Ｗ線における断面図である。
【００３５】
この図３ないし５において、表示面を構成する前面ガラス基板１の背面に、行方向（図１の左右方向）に延びる複数の行電極対（Ｘ１，Ｙ１）が、列方向（図１の上下方向）に等間隔に並設されている。
【００３６】
行電極Ｘ１は、行方向に延びるバス電極Ｘ１ａと、このバス電極Ｘ１ａの等間隔位置に接続された複数の透明電極Ｘ１ｂとから構成されている。
【００３７】
このバス電極Ｘ１ａは、互いに所要の間隔を空けて行方向に延びる第１バス電極Ｘ１ａ１と第２バス電極Ｘ１ａ２の二本のバス電極によって構成されている。  各透明電極Ｘ１ｂは、第１バス電極Ｘ１ａ１の等間隔位置に接続されてこの第１バス電極Ｘ１ａ１から対になっている行電極Ｙ１の側に列方向に突出する複数の帯状の第１突出電極Ｘ１ｂ１と、第２バス電極Ｘ１ａ２の前面ガラス基板１側から見て各第１突出電極Ｘ１ｂ１の両側位置に接続されて、第２バス電極Ｘ１ａ２から対になっている行電極Ｙ１の側に列方向に突出する帯状の第２突出電極Ｘ１ｂ２および第３突出電極Ｘ１ｂ３の三本の突出電極によって構成されている。
【００３８】
そして、各行電極対（Ｘ１，Ｙ１）において、第１バス電極Ｘ１ａ１が第２バス電極Ｘ１ａ２に対して外側位置に配置されており、この第１バス電極Ｘ１ａ１に接続された第１突出電極Ｘ１ｂ１は、交差する第２バス電極Ｘ１ａ２との間が絶縁されている。
【００３９】
行電極Ｙ１も、行電極Ｘ１と同様に、行方向に延びるバス電極Ｙ１ａと、このバス電極Ｙ１ａの等間隔位置に接続された複数の透明電極Ｙ１ｂとから構成されている。
【００４０】
このバス電極Ｙ１ａは、互いに所要の間隔を空けて行方向に延びる第１バス電極Ｙ１ａ１と第２バス電極Ｙ１ａ２の二本のバス電極によって構成されている。  各透明電極Ｙ１ｂは、第１バス電極Ｙ１ａ１の等間隔位置に接続されてこの第１バス電極Ｙ１ａ１から対になっている行電極Ｘ１の側に列方向に突出する複数の帯状の第１突出電極Ｙ１ｂ１と、第２バス電極Ｙ１ａ２の前面ガラス基板１側から見て各第１突出電極Ｙ１ｂ１の両側位置に接続されて、第２バス電極Ｙ１ａ２から対になっている行電極Ｘ１の側に列方向に突出する帯状の第２突出電極Ｙ１ｂ２および第３突出電極Ｙ１ｂ３の三本の突出電極によって構成されている。
【００４１】
そして、各行電極対（Ｘ１，Ｙ１）において、第１バス電極Ｙ１ａ１が第２バス電極Ｙ１ａ２に対して外側位置に配置されており、この第１バス電極Ｙ１ａ１に接続された第１突出電極Ｙ１ｂ１は、交差する第２バス電極Ｙ１ａ２との間が絶縁されている。
【００４２】
この行電極Ｘ１とＹ１は、前面ガラス基板１の列方向に交互に配置されており、行電極Ｘ１とＹ１の第１突出電極Ｘ１ｂ１とＹ１ｂ１、および、第２突出電極Ｘ１ｂ２とＹ１ｂ２，第３突出電極Ｘ１ｂ３とＹ１ｂ３が、それぞれ、所要の幅の放電ギャップｇを介して互いに対向されている。
【００４３】
前面ガラス基板１の背面には、誘電体層１２が形成されて、この誘電体層１２によって行電極対（Ｘ１，Ｙ１）が被覆されている。
【００４４】
この誘電体層１２の背面の行電極Ｘ１の第１突出電極Ｘ１ｂ１に対向する位置に第１電界制御用電極Ｚｘ１が形成され、第２突出電極Ｘ１ｂ２に対向する位置に第２電界制御用電極Ｚｘ２が形成され、第３突出電極Ｘ１ｂ３に対向する位置に第３電界制御用電極Ｚｘ３が形成されており、また、行電極Ｙ１の第１突出電極Ｙ１ｂ１に対向する位置に第１電界制御用電極Ｚｙ１が形成され、第２突出電極Ｙ１ｂ２に対向する位置に第２電界制御用電極Ｚｙ２が形成され、第３突出電極Ｙ１ｂ３に対向する位置に第３電界制御用電極Ｚｙ３が形成されている。
【００４５】
この第１〜第３電界制御用電極Ｚｘ１〜Ｚｘ３と第１〜第３電界制御用電極Ｚｙ１〜Ｚｙ３は、何れも、略長方形状の本体部Ｚｍと、この本体部Ｚｍの先端部に一体的に形成されて、対向する各突出電極の先端部から列方向に突出する複数（図示の例では二本）の幅狭の略長方形状を有する突起Ｚｎとから構成されている。
【００４６】
そして、各第１〜第３電界制御用電極Ｚｘ１〜Ｚｘ３，Ｚｙ１〜Ｚｙ３は、各々が互いに独立しているとともに、前面ガラス基板１側から見た状態で、本体部Ｚｍがそれぞれ対応する第１ないし第３突出電極Ｘ１ｂ１〜Ｘ１ｂ３，Ｙ１ｂ１〜Ｙ１ｂ３に重なっているとともに、突起Ｚｎが各第１ないし第３突出電極Ｘ１ｂ１〜Ｘ１ｂ３，Ｙ１ｂ１〜Ｙ１ｂ３の先端部（対になっている他方の突出電極に対向する側の端部）から列方向に突出する位置に配置されている。
【００４７】
さらに、第１電界制御用電極Ｚｘ１とＺｙ１、第２電界制御用電極Ｚｘ２とＺｙ２、第３電界制御用電極Ｚｘ３とＺｙ３が、それぞれ、突起Ｚｎを所要のギャップを介して一対一で対向させて、互いに対になっている。
【００４８】
誘電体層１２の背面には酸化マグネシウムによる保護層１３が形成されて、この保護層１３によって第１〜第３電界制御用電極Ｚｘ１〜Ｚｘ３，Ｚｙ１〜Ｚｙ３が被覆されている。
【００４９】
前面ガラス基板１と放電空間を介して平行に対向される背面ガラス基板４側の構成は図１の従来のＰＤＰと同様であり、背面ガラス基板４の前面ガラス基板１に対向される表示側の面上には、列電極Ｄが、それぞれ、互いに対向して対になっている第１〜第３電界制御用電極Ｚｘ１〜Ｚｘ３，Ｚｙ１〜Ｚｙ３と第１〜第３突出電極Ｘ１ａ１〜Ｘ１ａ３，Ｙ１ａ１〜Ｙ１ａ３に対向する位置において行電極対（Ｘ１，Ｙ１）と直交する方向（列方向）に延びるように、行方向に互いに所定の間隔を開けて平行に配列されている。
【００５０】
背面ガラス基板４の表示側の面上には、さらに、列電極Ｄを被覆する白色の列電極保護層(誘電体層）５が形成され、この列電極保護層５上に、隔壁６が形成されている。
【００５１】
この隔壁６は、隣接する行電極対（Ｘ１，Ｙ１）の背中合わせに位置するバス電極Ｘ１ａとＹ１ａに対向する位置においてそれぞれ行方向に延びる横壁６Ａと、隣接する列電極Ｄの間の中間位置に対向する位置おいて列方向に延びる縦壁６Ｂとによって略格子形状に成形されている。
【００５２】
そして、この略格子形状の隔壁６によって、前面ガラス基板１と背面ガラス基板６の間の放電空間が、それぞれ方形に区画されて放電セルＣ１が形成されており、この実施例においては、各放電セルＣ１の縦および横の双方または一方の長さが、４００μｍ以下に設定されている。
【００５３】
この各放電セルＣ１には、行電極対（Ｘ１，Ｙ１）の互いに対向する透明電極Ｘ１ｂ，Ｙ１ｂと、互いに対向して対になっている第１〜第３電界制御用電極Ｚｘ１〜Ｚｘ３，Ｚｙ１〜Ｚｙ３が、それぞれ対向されている。
【００５４】
各放電セルＣ１内において、隔壁６の横壁６Ａおよび縦壁６Ｂの側面と列電極保護層５の表面には、これらの五つの面を全て覆うように蛍光体層７が形成されており、この蛍光体層７の色は、各放電セルＣ１毎に色分けされて赤，緑，青の三原色が行方向に順に並ぶように配列されている。
【００５５】
放電空間内には、キセノンを含む放電ガスが封入されている。
【００５６】
このＰＤＰは、駆動時に、行電極対（Ｘ１，Ｙ１）を構成する行電極Ｘ１，Ｙ１の透明電極Ｘ１ｂとＹ１ｂ間において一斉にリセット放電が行われる。
【００５７】
次に、この行電極対（Ｘ１，Ｙ１）の一方の行電極Ｙ１と列電極Ｄとの間で映像信号に対応して選択的にアドレス放電が発生されて、放電セルＣ１に対向する部分の誘電体層１２に壁電荷が形成（または、形成されている壁電荷が消去）されることにより、対向する部分の誘電体層１２に壁電荷が形成されている発光セルと誘電体層１２の壁電荷が消去された消灯セルとが、パネル面に分布される。
【００５８】
この後、発光セル内において行電極対（Ｘ１，Ｙ１）を構成する行電極Ｘ１，Ｙ１の透明電極Ｘ１ｂ，Ｙ１ｂ間において、後述するような駆動方法によってサステイン放電が行われて、放電空間内の放電ガス中のキセノンから真空紫外線が放射され、この真空紫外線によって赤，緑，青の蛍光体層７がそれぞれ励起されて発光することにより、パネル面に映像信号に対応したマトリクス表示による画像が形成される。
【００５９】
そして、このＰＤＰのサステイン放電駆動時に、行電極Ｘ１，Ｙ１の第１突出電極Ｘ１ｂ１とＹ１ｂ１間に、第２突出電極Ｘ１ｂ２とＹ１ｂ２間および第３突出電極Ｘ１ｂ３とＹ１ｂ３間に印加されるパルス電圧よりも小さいパルス電圧が印加されて、第１突出電極Ｘ１ｂ１，Ｙ１ｂ１と第２突出電極Ｘ１ｂ２とＹ１ｂ２との間および第３突出電極Ｘ１ｂ３とＹ１ｂ３との間に電圧勾配が形成され、これによって、誘電体層１２の表面側に形成される壁電荷が、第１突出電極Ｘ１ｂ１，Ｙ１ｂ１が位置する中央部に集められてゆく。
【００６０】
さらに、このＰＤＰのサステイン放電駆動時に、第１〜第３電界制御用電極Ｚｘ１〜Ｚｘ３と第１〜第３電界制御用電極Ｚｙ１〜Ｚｙ３間に所要の電位差が生じることによって、図６に示されるように、放電セルＣ１内において、各第１〜第３電界制御用電極Ｚｘ１〜Ｚｘ３および第１〜第３電界制御用電極Ｚｙ１〜Ｚｙ３の近傍の保護層１３の表面と平行な領域に、平板状の強電界領域Ｂが形成されて、これにより、グロー放電プラズマの陰極降下部（図２参照）がこの強電界領域Ｂに限定される。
【００６１】
次に、このＰＤＰのサステイン放電時における駆動方法の一例を挙げながら、上記のようなサステイン放電時におけるＰＤＰの作動状態について、さらに詳細に説明を行う。
【００６２】
図７は、ＰＤＰのサステイン放電時の駆動方法の第１例を示しており、行電極Ｘ１の第１バス電極Ｘ１ａ１と第２バス電極Ｘ１ａ２、および、行電極Ｙ１の第１バス電極Ｙ１ａ１と第２バス電極Ｙ１ａ２へのパルス電圧の印加のタイミング・チャートを示してしている。
【００６３】
この図７において、印加タイミングＴ１に、行電極Ｘ１の第１バス電極Ｘ１ａ１（第１突出電極Ｘ１ｂ１）にパルス電圧Ｖ１が印加され、このパルス電圧Ｖ１の印加と同時に、第２バス電極Ｘ１ａ２（第２突出電極Ｘ１ｂ２，第３突出電極Ｘ１ｂ３）にパルス電圧Ｖ１よりも大きい同極性のパルス電圧Ｖ２が印加され、行電極Ｙ１の第１バス電極Ｙ１ａ１（第１突出電極Ｙ１ｂ１）と第２バス電極Ｙ１ａ２（第２突出電極Ｙ１ｂ２，第３突出電極Ｙ１ｂ３）は、ほぼ接地電圧になっている。
【００６４】
この印加タイミングＴ１の次の印加タイミングＴ２に、行電極Ｘ１の第１バス電極Ｘ１ａ１（第１突出電極Ｘ１ｂ１）と第２バス電極Ｘ１ａ２（第２突出電極Ｘ１ｂ２，第３突出電極Ｘ１ｂ３）は、ほぼ接地電圧になっており、行電極Ｙ１の第１バス電極Ｙ１ａ１（第１突出電極Ｙ１ｂ１）にパルス電圧Ｖ１が印加され、このパルス電圧Ｖ１と同時に、第２バス電極Ｙ１ａ２（第２突出電極Ｙ１ｂ２，第３突出電極Ｙ１ｂ３）にパルス電圧Ｖ１よりも大きい同極性のパルス電圧Ｖ２が印加される。
【００６５】
そして、以後、サステイン放電が行われる期間の間、上記のような印加タイミングＴ１とＴ２時のパルス電圧の印加が繰り返される。
【００６６】
図８は、このサステイン放電時において、行電極Ｘ１側にパルス電圧が印加される場合（図７の印加タイミングＴ１時）の行電極Ｘ１の第１ないし第３突出電極Ｘ１ｂ１〜Ｘ１ｂ３と行電極Ｙ１の第１ないし第３突出電極Ｙ１ｂ１〜Ｙ１ｂ３に印加されるパルス電圧の態様を示しており、透明電極Ｘ１ｂの第１突出電極Ｘ１ｂ１にパルス電圧ＶＰ１（この例では２００Ｖ）が印加され、第２および第３突出電極Ｘ１ｂ２，Ｘ１ｂ３にパルス電圧ＶＰ２（この例では２５０Ｖ）が印加され、行電極Ｙ１の第１ないし第３突出電極Ｙ１ｂ１〜Ｙ１ｂ３は何れも接地電圧になっている。
【００６７】
このように、第１ないし第３突出電極Ｘ１ｂ１〜Ｘ１ｂ３のうちの中心に位置する第１突出電極Ｘ１ｂ１に印加されるパルス電圧ＶＰ１（＝２００Ｖ）が、両側の第２および第３突出電極Ｘ１ｂ２，Ｘ１ｂ３に印加されるパルス電圧ＶＰ２（＝２５０Ｖ）よりも小さいことによって、第２および第３突出電極Ｘ１ｂ２，Ｘ１ｂ３に対向する両側部分から第１突出電極Ｘ１ｂ１が位置する中心部分に向かって電位の傾斜が生じて、図９に示されるように、誘電体層１２上に形成されるプラスの壁電荷ｗが放電セルＣ１の列方向において中央に対向する部分に集められてゆく。
【００６８】
図１０はこのときの放電セルＣ１内における電位分布を示している。
【００６９】
この図１０から分かるように、放電セルＣ１内の等電位線Ｆ１が透明電極Ｘ１ｂの中央に位置する第１突出電極Ｘ１ｂ１に対向する部分の付近で第１突出電極Ｘ１ｂ１から離間する方向に湾曲しており、この等電位線Ｆ１の湾曲部Ｆ１ａによって、誘電体層１２上のプラスの壁電荷ｗが湾曲部Ｆ１ａに沿って中央側に集まってゆく。
【００７０】
さらに、上記ＰＤＰは、図６に示されるように、第１〜第３電界制御用電極Ｚｘ１〜Ｚｘ３と第１〜第３電界制御用電極Ｚｙ１〜Ｚｙ３間に形成される静電容量をＣｘｙとし、誘電体層１２を挟んだ第１ないし第３突出電極Ｘ１ｂ１〜Ｘ１ｂ３と第１〜第３電界制御用電極Ｚｘ１〜Ｚｘ３間、および、第１ないし第３突出電極Ｙ１ｂ１〜Ｙ１ｂ３と第１〜第３電界制御用電極Ｚｙ１〜Ｚｙ３間にそれぞれ形成される静電容量をＣｄｉとした場合に、図８のようなサステイン放電駆動時において、行電極Ｘ１側にパルス電圧が印加される際（図７の印加タイミングＴ１時）に第１電界制御用電極Ｚｘ１に生じる電位Ｖｚｘ１は、
Ｖｚｘ１＝ＶＰ１×（Ｃｄｉ＋Ｃｘｙ）／（Ｃｄｉ＋２Ｃｘｙ）…（１）
の式に基づいて求められる。
【００７１】
すなわち、この式（１）においてＣｘｙ≪Ｃｄｉであるから、電位Ｖｚｘ１は、ほぼ電圧ＶＰ１に等しい２００Ｖになる。
【００７２】
第２および第３電界制御用電極Ｚｘ２，Ｚｘ３の電位Ｖｚｘ２，Ｖｚｘ３も同様の式によって求められ、ほぼ電圧ＶＰ２に等しい２５０Ｖになる。
【００７３】
また、第１電界制御用電極Ｚｙ１に生じる電位Ｖｚｙ１は、
Ｖｚｙ１＝ＶＰ１×Ｃｘｙ／（Ｃｄｉ＋２Ｃｘｙ）…（２）
の式に基づいて求められる。
【００７４】
すなわち、この式（２）においてＣｘｙ≪Ｃｄｉであるから、電位Ｖｚｙ１は、ほぼ接地電圧に等しい０Ｖになる。
【００７５】
第２および第３電界制御用電極Ｚｙ２，Ｚｙ３の電位Ｖｚｙ２，Ｖｚｙ３も同様の式によって求められ、ほぼ接地電圧に等しい０Ｖになる。
【００７６】
以上のことは、サステイン放電時において、行電極Ｙ１側にパルス電圧が印加される場合（図７の印加タイミングＴ２時）においても、行電極Ｘ１とＹ１が逆になるだけで、同様の状態となる。
【００７７】
以上のように、サステイン放電駆動時に、行電極Ｘ１，Ｙ１の第１ないし第３突出電極Ｘ１ｂ１〜Ｘ１ｂ３と第１ないし第３突出電極Ｙ１ｂ１〜Ｙ１ｂ３間にパルス電圧が印加されて、第１〜第３電界制御用電極Ｚｘ１〜Ｚｘ３と第１〜第３電界制御用電極Ｚｙ１〜Ｚｙ３間に所要の電位差が発生されることによって、図１１に示されるように、放電セルＣ１内に発生するグロー放電プラズマの陰極降下部（図２参照）が、各第１〜第３電界制御用電極Ｚｘ１〜Ｚｘ３および第１〜第３電界制御用電極Ｚｙ１〜Ｚｙ３の近傍の保護層１３の表面と平行な領域に形成される強電界領域Ｂ内に限定されてその長さｄ（図２参照）が従来のＰＤＰの場合よりも短くなって、その分、放電セルＣ１内において発生する陽光柱ＰＣ１の長さｙ１が、従来のＰＤＰの場合と比較して長くなる。
【００７８】
なお、従来の電界制御用電極を有しないＰＤＰにおいては、図１に示されるように、放電セルＣ内の保護層３の表面と平行な領域には弱電界領域Ａのみが形成されるので、グロー放電プラズマの陰極降下部の発生領域が保護層近傍の狭い領域に限定されることはない。
【００７９】
以上のように、上記ＰＤＰは、ＰＤＰの高精細化に伴って放電セルＣ１のサイズが縮小され、サステイン放電を発生させる透明電極Ｘ１ｂとＹ１ｂの間の間隔が縮小される場合でも、サステイン放電時に十分な長さを有する陽光柱ＰＣ１を形成することが出来るので、発光輝度や発光効率の低下を防止することが出来るようになる。
【００８０】
さらに、上記ＰＤＰは、行電極Ｘ１，Ｙ１の透明電極Ｘ１ｂ，Ｙ１ｂが、それぞれ三本の電極（第１ないし第３突出電極Ｘ１ｂ１〜Ｘ１ｂ３，第１ないし第３突出電極Ｙ１ｂ１〜Ｙ１ｂ３）に分割して形成され、サステイン放電駆動時に、中央に位置する電極（第１突出電極Ｘ１ｂ１，第１突出電極Ｙ１ｂ１）に、その両側に位置する他の電極（第２および第３突出電極Ｘ１ｂ２，Ｘ１ｂ３，第２および第３突出電極Ｙ１ｂ２，Ｙ１ｂ３）よりも小さいパルス電圧が印加されることによって、放電セルＣ１内のパルス電圧が印加される側の行電極の透明電極に対向する部分に、この透明電極を構成する三本の電極の中央に位置する部分が湾曲して凹んだ等電位線が形成され、これによって、サステイン放電によって誘電体層１２の表面に形成される壁電荷が放電セルＣ１の列方向において中央側に向かって集められてゆくので、サステイン放電によって発生されるプラズマが放電セルＣ１の中央部分に集中して、放電セルＣ１を区画している隔壁６によるエネルギ損失が低減され、これによって、プラズマの発生効率が向上して発光効率が向上されることにより、ＰＤＰの高精細化による放電セルＣ１のサイズの縮小に伴う輝度低下をさらに防止することが出来るようになる。
【００８１】
さらに、上記ＰＤＰは、第１〜第３電界制御用電極Ｚｘ１〜Ｚｘ３，Ｚｙ１〜Ｚｙ３の先端部にそれぞれ突起Ｚｎが形成されて、この突起Ｚｎが前面ガラス基板１側から見てそれぞれ第１ないし第３透明電極Ｘ１ｂ１〜Ｘ１ｂ３，Ｙ１ｂ１〜Ｙ１ｂ３の先端から前方側（対になっている他方の電界制御用電極側）に突出していることによって、誘電体層１２に絶縁破壊が発生するのが防止される。
【００８２】
図１２は、ＰＤＰのサステイン放電時の駆動方法の第２例におけるパルス電圧の印加のタイミング・チャートを示してしている。
【００８３】
この図１２において、印加タイミングＴ１１に、行電極Ｘ１の第１バス電極Ｘ１ａ１（第１突出電極Ｘ１ｂ１）と第２バス電極Ｘ１ａ２（第２突出電極Ｘ１ｂ２，第３突出電極Ｘ１ｂ３）に同時に同じ大きさのパルス電圧Ｖ１１が印加され、このパルス電圧Ｖ１１の印加と同時に、行電極Ｙ１の第１バス電極Ｙ１ａ１（第１突出電極Ｙ１ｂ１）にパルス電圧Ｖ１１と逆極性でこのパルス電圧Ｖ１１よりも絶対値が小さいパルス電圧Ｖ１２が印加される。
【００８４】
このとき、行電極Ｙ１の第２バス電極Ｙ１ａ２（第２突出電極Ｙ１ｂ２，第３突出電極Ｙ１ｂ３）は、ほぼ接地電圧になっている。
【００８５】
この印加タイミングＴ１１の次の印加タイミングＴ１２に、行電極Ｙ１の第１バス電極Ｙ１ａ１（第１突出電極Ｙ１ｂ１）と第２バス電極Ｙ１ａ２（第２突出電極Ｙ１ｂ２，第３突出電極Ｙ１ｂ３）に同時に同じ大きさのパルス電圧Ｖ１１が印加され、このパルス電圧Ｖ１１の印加と同時に、行電極Ｘ１の第１バス電極Ｘ１ａ１（第１突出電極Ｘ１ｂ１）にパルス電圧Ｖ１１と逆極性でこのパルス電圧Ｖ１１よりも絶対値が小さいパルス電圧Ｖ１２が印加される。
【００８６】
このとき、行電極Ｘ１の第２バス電極Ｘ１ａ２（第２突出電極Ｘ１ｂ２，第３突出電極Ｘ１ｂ３）は、ほぼ接地電圧になっている。
【００８７】
そして、以後、サステイン放電が行われる期間の間、上記のような印加タイミングＴ１１とＴ１２のパルス電圧の印加が繰り返される。
【００８８】
図１３は、印加タイミングＴ１１の時の放電セルＣ１内における電位分布を示しており、図１４は、このときの壁電荷の移動の状態を示している。
【００８９】
この図１３から分かるように、印加タイミングＴ１１には、第１突出電極Ｙ１ｂ１の電位が第２および第３突出電極Ｙ１ｂ２，Ｙ１ｂ３の電位よりも小さくなり、放電セルＣ１内の等電位線Ｆ２が行電極Ｙ１の中央の第１突出電極Ｙ１ｂ１に対向する部分の付近で電極から離間する方向に湾曲するので、この等電位線Ｆ２の湾曲部Ｆ２ａによって、図１４に示されるように、プラスの壁電荷ｗが等電位線Ｆ２の湾曲部Ｆ２ａに沿って中央側に集められてゆく。
【００９０】
印加タイミングＴ１２の時も、行電極Ｘ１側で同様の現象が生じる。
【００９１】
以上のように、この第２例の駆動方法においても、前述した第１例の場合と同様に、サステイン放電駆動時に、放電セルＣ１内の等電位線Ｆ２の第１突出電極Ｘ１ｂ１，Ｙ１ｂ１に対向する部分に形成される湾曲部Ｆ２ａによって、壁電荷ｗが等電位線Ｆ２の湾曲部Ｆ２ａに沿って中央側に集められるので、サステイン放電によって発生するプラズマが放電セルＣ１の中央部に集中して、放電セルＣ１を区画する隔壁６によるエネルギの損失が低減され、これによって、プラズマの発生効率の向上とこれに伴う発光効率の向上が図られて、ＰＤＰの高精細化による放電セルＣ１のサイズの縮小に伴う輝度低下防止をさらに図ることが出来るようになる。
【００９２】
図１５は、上記ＰＤＰのサステイン放電時の駆動方法の第３例におけるパルス電圧の印加のタイミング・チャートを示している。
【００９３】
この図１５において、印加タイミングＴ２１に、行電極Ｘ１の第１バス電極Ｘ１ａ１（第１突出電極Ｘ１ｂ１）と第２バス電極Ｘ１ａ２（第２突出電極Ｘ１ｂ２，第３突出電極Ｘ１ｂ３）に同時に同じ大きさのパルス電圧Ｖ２１が印加され、このパルス電圧Ｖ２１の印加と同時に、行電極Ｙ１の第２バス電極Ｙ１ａ２（第２突出電極Ｙ１ｂ２，第３突出電極Ｙ１ｂ３）にパルス電圧Ｖ２１と同極性でこのパルス電圧Ｖ２１よりも小さいパルス電圧Ｖ２２が印加される。
【００９４】
このとき、行電極Ｙ１の第１バス電極Ｙ１ａ１（第１突出電極Ｙ１ｂ１）は、ほぼ接地電圧になっている。
【００９５】
この印加タイミングＴ２１の次の印加タイミングＴ２２に、行電極Ｙ１の第１バス電極Ｙ１ａ１（第１突出電極Ｙ１ｂ１）と第２バス電極Ｙ１ａ２（第２突出電極Ｙ１ｂ２，第３突出電極Ｙ１ｂ３）に同時に同じ大きさのパルス電圧Ｖ２１が印加され、このパルス電圧Ｖ２１の印加と同時に、行電極Ｘ１の第２バス電極Ｘ１ａ２（第２突出電極Ｘ１ｂ２，第３突出電極Ｘ１ｂ３）にパルス電圧Ｖ２１と同極性でパルス電圧Ｖ２１よりも小さいパルス電圧Ｖ１２が印加される。
【００９６】
このとき、行電極Ｘ１の第１バス電極Ｘ１ａ１（第１突出電極Ｘ１ｂ１）は、ほぼ接地電圧になっている。
【００９７】
そして、以後、サステイン放電が行われる期間の間、上記のような印加タイミングＴ２１とＴ２２のパルス電圧の印加が繰り返される。
【００９８】
この第３例の駆動方法においても、放電セルＣ１内の電位分布および壁電荷の移動の状態は、前述した図１３および１４に示されている状態と同様であり、前述した第１例の場合と同様に、サステイン放電駆動時に、放電セルＣ１内の等電位線Ｆ２の第１突出電極Ｘ１ｂ１，Ｙ１ｂ１に対向する部分に形成される湾曲部Ｆ２ａによって、誘電体層１２の表面の壁電荷ｗが等電位線Ｆ２の湾曲部Ｆ２ａに沿って中央側に集められるので、サステイン放電によって発生するプラズマが放電セルＣ１の中央部に集中して放電セルＣ１を区画する隔壁６によるエネルギの損失が低減され、これによって、プラズマの発生効率の向上とこれに伴う発光効率の向上が図られて、ＰＤＰの高精細化による放電セルＣ１のサイズの縮小に伴う輝度低下防止をさらに図ることが出来るようになる。
【００９９】
なお、上記のＰＤＰのサステイン放電時の各駆動方法は、組み合わせて実施してもよく、例えば、第１例の駆動方法と第２例または第３例の駆動方法を組み合わせることにより、サステイン放電開始時から持続的に壁電荷を中心側に向かわせるようにすることも可能である。
【実施例２】
【０１００】
図１６は、この発明によるＰＤＰの実施形態の第２実施例を示している。
【０１０１】
この第２実施例のＰＤＰは、行電極Ｘ２の透明電極Ｘ２ｂの中央に位置する第１突出電極Ｘ２ｂ１が、第２バス電極Ｘ２ａ２に対して絶縁された接続部Ｘ２ｃ１によって第１バス電極Ｘ２ａ１に接続されており、この第１突出電極Ｘ２ｂ１の両側に位置する第２突出電極Ｘ２ｂ２と第３突出電極Ｘ２ｂ３が、第１突出電極Ｘ２ｂ１を囲む略逆Ｕ字形状の電極Ｅｘの両端部分によって構成されて、この電極Ｅｘが接続部Ｘ２ｃ２によって第２バス電極Ｘ２ａ２に接続されている。
【０１０２】
行電極Ｙ２も同様に、透明電極Ｙ２ｂの中央に位置する第１突出電極Ｙ２ｂ１が、第２バス電極Ｙ２ａ２に対して絶縁された接続部Ｙ２ｃ１によって第１バス電極Ｙ２ａ１に接続されており、この第１突出電極Ｙ２ｂ１の両側に位置する第２突出電極Ｙ２ｂ２と第３突出電極Ｙ２ｂ３が、第１突出電極Ｙ２ｂ１を囲む略Ｕ字形状の電極Ｅｙの両端部分によって構成されて、この電極Ｅｙが接続部Ｙ２ｃ２によって第２バス電極Ｙ２ａ２に接続されている。
【０１０３】
このＰＤＰの他の部分の構成は、第１実施例の場合とほぼ同様であり、行電極対（Ｘ２，Ｙ２）を被覆する誘電体層の背面のそれぞれ行電極Ｘ２の第１ないし第３突出電極Ｘ２ｂ１〜Ｘ２ｂ３に対向する位置に第１〜第３電界制御用電極Ｚｘ１〜Ｚｘ３が形成され、行電極Ｙ２の第１ないし第３突出電極Ｙ２ｂ１〜Ｙ２ｂ３に対向する位置に第１〜第３電界制御用電極Ｚｙ１〜Ｚｙ３が形成されている。
【０１０４】
この実施例のＰＤＰのサステイン放電時の駆動方法およびその作用効果は、第１実施例の場合と同様である。
【０１０５】
そして、この実施例のＰＤＰは、さらに、行電極Ｘ２の第２と第３突出電極Ｘ２ｂ２，Ｘ２ｂ３、および、行電極Ｙ２の第２と第３突出電極Ｙ２ｂ２，Ｙ２ｂ３がそれぞれ一体的に形成されているので、これらの突出電極と第２バス電極Ｘ２ａ２，Ｙ２ａ２との接続を簡易な構成にすることができる。
【実施例３】
【０１０６】
図１７は、この発明によるＰＤＰの実施形態の第３実施例を示している。
【０１０７】
この第３実施例のＰＤＰは、行電極Ｘ３，Ｙ３が、第１および第２実施例の場合と異なり、それぞれ、一本ずつのバス電極Ｘ３ａ，Ｙ３ａを備えている。
【０１０８】
そして、行電極Ｘ３の透明電極Ｘ３ｂを構成する三本の第１ないし第３突出電極Ｘ３ｂ１〜Ｘ３ｂ３が何れもバス電極Ｘ３ａに接続されているとともに、中央に位置する第１突出電極Ｘ３ｂ１が、両側の第２および第３突出電極Ｘ３ｂ２，Ｘ３ｂ３よりも列方向の長さが短く、第２突出電極Ｘ３ｂ２と第３突出電極Ｘ３ｂ３は列方向の長さが互いに同じになるように形成されている。
【０１０９】
行電極Ｙ３も同様に、透明電極Ｙ３ｂを構成する三本の第１ないし第３突出電極Ｙ３ｂ１〜Ｙ３ｂ３が何れもバス電極Ｙ３ａに接続されているとともに、中央に位置する第１突出電極Ｙ３ｂ１が両側の第２および第３突出電極Ｙ３ｂ２，Ｙ３ｂ３よりも列方向の長さが短く、第２突出電極Ｙ３ｂ２と第３突出電極Ｙ３ｂ３は列方向の長さが互いに同じになるように形成されている。
【０１１０】
このＰＤＰの他の部分の構成は、第１実施例の場合とほぼ同様であり、行電極対（Ｘ３，Ｙ３）を被覆する誘電体層の背面のそれぞれ行電極Ｘ３の第１ないし第３突出電極Ｘ３ｂ１〜Ｘ３ｂ３に対向する位置に互いに同じ大きさの第１〜第３電界制御用電極Ｚｘ１〜Ｚｘ３が形成され、行電極Ｙ３の第１ないし第３突出電極Ｙ３ｂ１〜Ｙ３ｂ３に対向する位置に互いに同じ大きさの第１〜第３電界制御用電極Ｚｙ１〜Ｚｙ３が形成されている。
【０１１１】
従って、前面ガラス基板側から見た第１突出電極Ｘ３ｂ１，Ｙ３ｂ１と第１電界制御用電極Ｚｘ１，Ｚｙ１の重なり面積は、第２突出電極Ｘ３ｂ２，Ｙ３ｂ２と第２電界制御用電極Ｚｘ２，Ｚｙ２の重なり面積、および、第３突出電極Ｘ３ｂ３，Ｙ３ｂ３と第３電界制御用電極Ｚｘ３，Ｚｙ３の重なり面積よりもそれぞれ小さく、第２突出電極Ｘ３ｂ２，Ｙ３ｂ２と第２電界制御用電極Ｚｘ２，Ｚｙ２の重なり面積と第３突出電極Ｘ３ｂ３，Ｙ３ｂ３と第３電界制御用電極Ｚｘ３，Ｚｙ３の重なり面積とは、それぞれ互いに等しくなっている。
【０１１２】
従って、誘電体層を介した容量結合により、バス電極Ｘ３ａ，Ｙ３ａへのパルス電圧の印加によって第１〜第３電界制御用電極Ｚｘ１〜Ｚｘ３，Ｚｙ１〜Ｚｙ３にそれぞれ発生する電位は、以下のようにして求められる。 
すなわち、図６の場合と同様に、第１〜第３電界制御用電極Ｚｘ１〜Ｚｘ３と第１〜第３電界制御用電極Ｚｙ１〜Ｚｙ３間に形成される静電容量をＣｘｙとし、誘電体層を挟んだ第１ないし第３突出電極Ｘ３ｂ１〜Ｘ３ｂ３と第１〜第３電界制御用電極Ｚｘ１〜Ｚｘ３間、および、第１ないし第３突出電極Ｙ３ｂ１〜Ｙ３ｂ３と第１〜第３電界制御用電極Ｚｙ１〜Ｚｙ３間にそれぞれ形成される静電容量をＣｄｉとし、行電極Ｘ３，Ｙ３に印加されるパルス電圧の最大値をＶｐとした場合に、サステイン放電駆動時において行電極Ｘ３，Ｙ３の一方にパルス電圧Ｖｐが印加された際に第１電界制御用電極Ｚｘ１，Ｚｙ１に生じる電位Ｖｚｘ１，Ｖｚｙ１は、それぞれ、
Ｖｚｘ１，Ｖｚｙ１＝Ｖｐ×Ｃｘｙ／（Ｃｄｉ＋２Ｃｘｙ）…（３）
の式に基づいて求められる。
【０１１３】
そして、このＰＤＰの場合には、前面ガラス基板側から見た第１突出電極Ｘ３ｂ１，Ｙ３ｂ１と第１電界制御用電極Ｚｘ１，Ｚｙ１の重なり面積がそれぞれ小さくなっていることにより、式（３）においてＣｄｉ≪Ｃｘｙの関係から、
Ｖｚｘ１，Ｖｚｙ１≒Ｖｐ×Ｃｘｙ／２Ｃｘｙ≒Ｖｐ／２
が求められる。
【０１１４】
また、バス電極Ｘ３ａにパルス電圧Ｖｐが印加される場合に、第２および第３電界制御用電極Ｚｘ２，Ｚｘ３，Ｚｙ２，Ｚｙ３に生じる電位Ｖｚｘ２，Ｖｚｘ３，Ｖｚｙ２，Ｖｚｙ３は、それぞれ
Ｖｚｘ２，Ｖｚｘ３＝Ｖｐ×（Ｃｄｉ＋Ｃｘｙ）／（Ｃｄｉ＋２Ｃｘｙ）…（４）
Ｖｚｙ２，Ｖｚｙ３＝Ｖｐ×Ｃｘｙ／（Ｃｄｉ＋２Ｃｘｙ）  …（５）
の式に基づいて求められ、
Ｃｘｙ≪Ｃｄｉの関係により、式（４）から、
Ｖｚｘ２，Ｖｚｘ３≒Ｖｐ×Ｃｄｉ／Ｃｄｉ≒Ｖｐ
が求められ、式（５）から、
Ｖｚｙ２，Ｖｚｙ３≒０
が求められる。
【０１１５】
バス電極Ｙ３ａにパルス電圧Ｖｐが印加される場合には、式（５）によってＶｚｘ２，Ｖｚｘ３が求められて、
Ｖｚｘ２，Ｖｚｘ３≒０
となり、
式（４）によってＶｚｙ２，Ｖｚｙ３が求められて、
Ｖｚｙ２，Ｖｚｙ３≒Ｖｐ
となる。
【０１１６】
図１８は、行電極Ｘ３，Ｙ３のバス電極Ｘ３ａ，Ｙ３ａに交互にパルス電圧Ｖｐが印加されるときに、第１〜第３電界制御用電極Ｚｘ１〜Ｚｘ３，Ｚｙ１〜Ｚｙ３にそれぞれ発生する電位を示すタイミング・チャートである。
【０１１７】
この図１８において、上記式（３），（４），（５）により、行電極Ｘ３のバス電極Ｘ３ａにパルス電圧Ｖｐが印加される印加タイミングＴ３１および行電極Ｙ３のバス電極Ｙ３ａにパルス電圧Ｖｐが印加される印加タイミングＴ３２に、第１電界制御用電極Ｚｘ１，Ｚｙ１の電位Ｖｚｘ１，Ｖｚｙ１は何れもＶｐ／２となるが、印加タイミングＴ３１には、第２および第３電界制御用電極Ｚｘ２，Ｚｘ３の電位Ｖｚｘ２，Ｖｚｘ３がＶｐとなり、第２および第３電界制御用電極Ｚｙ２，Ｚｙ３の電位Ｖｚｙ２，Ｖｚｙ３が０となり、印加タイミングＴ３２には、第２および第３電界制御用電極Ｚｘ２，Ｚｘ３の電位Ｖｚｘ２，Ｖｚｘ３が０となり、第２および第３電界制御用電極Ｚｙ２，Ｚｙ３の電位Ｖｚｙ２，Ｖｚｙ３がＶｐとなる。
【０１１８】
図１９は、印加タイミングＴ３１の時の放電セルＣ１内における電位分布を示しており、図２０は、このときの壁電荷の移動の状態を示している。
【０１１９】
この図１９から分かるように、印加タイミングＴ３１時には、第１電界制御用電極Ｚｘ１の電位が第２および第３電界制御用電極Ｚｘ２，Ｚｘ３の電位よりも小さくなり、放電セル内の等電位線Ｆ３が中央の第１電界制御用電極Ｚｘ１に対向する部分の付近で電極から離間する方向に湾曲するので、この等電位線Ｆ３の湾曲部Ｆ３ａによって、図２０に示されるように、プラスの壁電荷ｗが等電位線Ｆ３の湾曲部Ｆ３ａに沿って中央側に集められてゆく。
【０１２０】
なお、この印加タイミングＴ３１時には、第１電界制御用電極Ｚｙ１の電位は第２および第３電界制御用電極Ｚｙ２，Ｚｙ３の電位よりも大きくなっているので、中央の第１電界制御用電極Ｚｙ１に対向する部分の等電位線Ｆ３が第１電界制御用電極Ｚｙ１に接近する方向に盛り上がるため、中央に集められながら行電極Ｘ３側から行電極Ｙ３側に到達した壁電荷ｗがこの等電位線Ｆ３の盛り上がり部Ｆ３ｂに沿って外側に拡散されることになるが、この壁電荷ｗは行電極Ｙ３側に到達後に直ぐに誘電体層の表面に蓄積されることになるので、等電位線Ｆ３の盛り上がり部Ｆ３ｂによる壁電荷ｗの拡散の影響は、極僅かである。
【０１２１】
印加タイミングＴ３２の時は、行電極Ｘ３とＹ３側が逆になって、同様の現象が生じる。
【０１２２】
以上のように、この実施例におけるＰＤＰは、前述した第１例の場合と同様に、第１〜第３電界制御用電極Ｚｘ１〜Ｚｘ３，Ｚｙ１〜Ｚｙ３が設けられることによって、ＰＤＰの高精細化に伴って放電セルのサイズが縮小される場合でも、サステイン放電時に放電セル内に十分な長さの陽光柱を形成することが出来ることによって、発光輝度や発光効率の低下を防止することが出来るとともに、サステイン放電駆動時に、放電セル内の等電位線Ｆ３の第１電界制御用電極Ｚｘ１，Ｚｙ１に対向する部分に形成される湾曲部Ｆ３ａによって、壁電荷ｗが等電位線Ｆ３の湾曲部Ｆ３ａに沿って中央側に集められるので、サステイン放電によって発生するプラズマが放電セルの中央部に集中して、放電セルを区画する隔壁によるエネルギの損失が低減され、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【実施例４】
【０１２３】
図２１は、この発明によるＰＤＰの実施形態の第４実施例を示している。
【０１２４】
この第４実施例のＰＤＰは、行電極Ｘ４，Ｙ４が、第１および第２実施例の場合と異なり、それぞれ、一本ずつのバス電極Ｘ４ａ，Ｙ４ａを備えている。
【０１２５】
そして、行電極Ｘ４の透明電極Ｘ４ｂを構成する三本の第１ないし第３突出電極Ｘ４ｂ１〜Ｘ４ｂ３は、何れも同じ大きさを有していてバス電極Ｘ４ａに接続されている。
【０１２６】
行電極Ｙ４は、透明電極Ｙ４ｂを構成する三本の第１ないし第３突出電極Ｙ４ｂ１〜Ｙ４ｂ３が何れもバス電極Ｙ４ａに接続されているとともに、中央に位置する第１突出電極Ｙ４ｂ１が両側の第２および第３突出電極Ｙ４ｂ２，Ｙ４ｂ３よりも行方向の長さが短く、第２突出電極Ｙ４ｂ２と第３突出電極Ｙ４ｂ３は行方向の長さが互いに同じになるように形成されている。
【０１２７】
このＰＤＰの他の部分の構成は、第１実施例の場合とほぼ同様であり、行電極対（Ｘ４，Ｙ４）を被覆する誘電体層の背面のそれぞれ行電極Ｘ４の第１ないし第３突出電極Ｘ４ｂ１〜Ｘ４ｂ３に対向する位置に互いに同じ大きさの第１〜第３電界制御用電極Ｚｘ１〜Ｚｘ３が形成され、行電極Ｙ４の第１ないし第３突出電極Ｙ４ｂ１〜Ｙ４ｂ３に対向する位置に互いに同じ大きさの第１〜第３電界制御用電極Ｚｙ１〜Ｚｙ３が形成されている。
【０１２８】
従って、前面ガラス基板側から見た第１突出電極Ｙ４ｂ１と第１電界制御用電極Ｚｙ１の重なり面積は、第１突出電極Ｘ４ｂ１と第１電界制御用電極Ｚｘ１の重なり面積および第２突出電極Ｘ４ｂ２，Ｙ４ｂ２と第２電界制御用電極Ｚｘ２，Ｚｙ２の重なり面積，第３突出電極Ｘ４ｂ３，Ｙ４ｂ３と第３電界制御用電極Ｚｘ３，Ｚｙ３の重なり面積よりも小さくなっている。
【０１２９】
第１ないし第３突出電極Ｘ４ｂ１〜Ｘ４ｂ３と第１〜第３電界制御用電極Ｚｘ１〜Ｚｘ３の重なり面積は互いに等しく、第２および第３突出電極Ｘ４ｂ２，Ｙ４ｂ２と第２および第３電界制御用電極Ｚｙ２，Ｚｙ３の重なり面積は互いに等しいが、第１〜第３電界制御用電極Ｚｘ１〜Ｚｘ３側と第２および第３電界制御用電極Ｚｙ２，Ｚｙ３側の重なり面積は、必ずしも等しくなくても良い。
【０１３０】
図２２は、行電極Ｘ４，Ｙ４のバス電極Ｘ４ａ，Ｙ４ａに交互にパルス電圧Ｖｐが印加されるときに、第１〜第３電界制御用電極Ｚｘ１〜Ｚｘ３，Ｚｙ１〜Ｚｙ３にそれぞれ発生する電位を示すタイミング・チャートである。
【０１３１】
この図２２において、行電極Ｘ４のバス電極Ｘ４ａにパルス電圧Ｖｐが印加される印加タイミングＴ４１の時には、第１〜第３電界制御用電極Ｚｘ１〜Ｚｘ３の電位は何れもＶｐとなり、第１〜第３電界制御用電極Ｚｙ１〜Ｚｙ３の電位は何れも接地電位になる。
【０１３２】
そして、行電極Ｙ４のバス電極Ｙ４ａにパルス電圧Ｖｐが印加される印加タイミングＴ４２の時には、第１〜第３電界制御用電極Ｚｘ１〜Ｚｘ３の電位は何れも接地電位となり、第２および第３電界制御用電極Ｚｙ２，Ｚｙ３の電位は何れもＶｐとなるが、第１突出電極Ｙ４ｂ１と第１電界制御用電極Ｚｙ１の重なり面積が第２および第３突出電極Ｙ４ｂ２，Ｙ４ｂ３と第２および第３電界制御用電極Ｚｙ２，Ｚｙ３の重なり面積よりも小さいことによって、第１電界制御用電極Ｚｙ１の電位はＶｐ／２となる。
【０１３３】
この実施例におけるＰＤＰは、前述した第１例の場合と同様に、第１〜第３電界制御用電極Ｚｘ１〜Ｚｘ３，Ｚｙ１〜Ｚｙ３が設けられることによって、ＰＤＰの高精細化に伴って放電セルのサイズが縮小される場合でも、サステイン放電時に放電セル内に十分な長さの陽光柱を形成することが出来ることによって発光輝度や発光効率の低下を防止することが出来るとともに、サステイン放電駆動時において、行電極Ｙ４側にパルス電圧が印加された際に、放電セル内の等電位線の第１電界制御用電極Ｚｙ１に対向する部分に形成される湾曲部によって、壁電荷が等電位線の湾曲部に沿って中央側に集められるので、サステイン放電によって発生するプラズマが放電セルの中央部に集中して、放電セルを区画する隔壁によるエネルギの損失が低減され、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【実施例５】
【０１３４】
図２３は、この発明によるＰＤＰの実施形態の第５実施例を示している。
【０１３５】
この第５実施例のＰＤＰは、行電極Ｘ５が、一本のバス電極Ｘ５ａを備えているとともに、このバス電極Ｘ５ａに接続された各透明電極Ｘ５ｂが、中央に位置する一本の第１突出電極Ｘ５ｂ１と、この第１突出電極Ｘ５ｂ１の両側に位置する二本の第２突出電極Ｘ５ｂ２と、さらにこの第２突出電極Ｘ５ｂ２の外側に位置する二本の第３突出電極Ｘ５ｂ３の計５本の突出電極によって構成されている。
【０１３６】
行電極Ｙ５も同様に、一本のバス電極Ｙ５ａを備えているとともに、このバス電極Ｙ５ａに接続された各透明電極Ｙ５ｂが、中央に位置する一本の第１突出電極Ｙ５ｂ１と、この第１突出電極Ｙ５ｂ１の両側に位置する二本の第２突出電極Ｙ５ｂ２と、さらにこの第２突出電極Ｙ５ｂ２の外側に位置する二本の第３突出電極Ｙ５ｂ３の計５本の突出電極によって構成されている。
【０１３７】
そして、透明電極Ｘ５ｂ，Ｙ５ｂは何れも、長さが、第１突出電極Ｘ５ｂ１，Ｙ５ｂ１が一番短く、次に第２突出電極Ｘ５ｂ２，Ｙ５ｂ２が短く、第３突出電極Ｘ５ｂ３，Ｙ５ｂ３が一番長くなるように形成されている。
【０１３８】
そして、この行電極対（Ｘ５，Ｙ５）を被覆する誘電体層の背面の行電極Ｘ５の一本の第１突出電極Ｘ５ｂ１，二本の第２突出電極Ｘ５ｂ２，二本の第３突出電極Ｘ５ｂ３にそれぞれ対向する位置に、互いに同じ大きさの一本の第１電界制御用電極Ｚ１ｘ１，二本の第２電界制御用電極Ｚ１ｘ２，二本の第３電界制御用電極Ｚ１ｘ３が設けられており、行電極Ｙ５の一本の第１突出電極Ｙ５ｂ１，二本の第２突出電極Ｙ５ｂ２，二本の第３突出電極Ｙ５ｂ３にそれぞれ対向する位置に、互いに同じ大きさの一本の第１電界制御用電極Ｚ１ｙ１，二本の第２電界制御用電極Ｚ１ｙ２，二本の第３電界制御用電極Ｚ１ｙ３が設けられている。
【０１３９】
従って、前面ガラス基板側から見た各突出電極と電界制御用電極の重なり面積は、それぞれ、第１突出電極Ｘ５ｂ１，Ｙ５ｂ１と第１電界制御用電極Ｚ１ｘ１，Ｚ１ｙ１の重なり面積が一番小さく、第２突出電極Ｘ５ｂ２，Ｙ５ｂ２と第２電界制御用電極Ｚ１ｘ２，Ｚ１ｙ２の重なり面積，第３突出電極Ｘ５ｂ３，Ｙ５ｂ３と第３電界制御用電極Ｚ１ｘ３，Ｚ１ｙ３の重なり面積の順に大きくなっている。
【０１４０】
図２４は、行電極Ｘ５，Ｙ５のバス電極Ｘ５ａ，Ｙ５ａに交互にパルス電圧Ｖｐが印加されるときに、第１〜第３電界制御用電極Ｚ１ｘ１〜Ｚ１ｘ３，Ｚ１ｙ１〜Ｚ１ｙ３にそれぞれ発生する電位を示すタイミング・チャートである。
【０１４１】
この図２４において、行電極Ｘ５，Ｙ５のバス電極Ｘ５ａ，Ｙ５ａへのパルス電圧Ｖｐの印加によって各第１〜第３電界制御用電極Ｚ１ｘ１〜Ｚ１ｘ３，Ｚ１ｙ１〜Ｚ１ｙ３に発生する電位は、第３実施例において説明した式（３），（４），（５）と同様の式によって求められる。
【０１４２】
この実施例においては、第１ないし第３突出電極Ｘ５ｂ１〜Ｘ５ｂ３，Ｙ５ｂ１〜Ｙ５ｂ３と第１〜第３電界制御用電極Ｚ１ｘ１〜Ｚ１ｘ３，Ｚ１ｙ１〜Ｚ１ｙ３とのそれぞれの重なり面積の違いによって、図２４に示されるように、行電極Ｘ５のバス電極Ｘ５ａにパルス電圧Ｖｐが印加される印加タイミングＴ５１には、第１電界制御用電極Ｚ１ｘ１の電位がＶｐ／２になり、第２電界制御用電極Ｚ１ｘ２の電位が３Ｖｐ／４になり、第３電界制御用電極Ｚ１ｘ３の電位がＶｐになり、第１電界制御用電極Ｚ１ｙ１の電位がＶｐ／２になり、第２電界制御用電極Ｚ１ｙ２の電位がＶｐ／４になり、第３電界制御用電極Ｚ１ｙ３の電位が接地電位になる。
【０１４３】
そして、行電極Ｙ５のバス電極Ｙ５ａにパルス電圧Ｖｐが印加される印加タイミングＴ５２には、第１電界制御用電極Ｚ１ｘ１の電位がＶｐ／２になり、第２電界制御用電極Ｚ１ｘ２の電位がＶｐ／４になり、第３電界制御用電極Ｚ１ｘ３の電位が接地電位になり、第１電界制御用電極Ｚ１ｙ１の電位がＶｐ／２となり、第２電界制御用電極Ｚ１ｙ２の電位が３Ｖｐ／４となり、第３電界制御用電極Ｚ１ｙ３の電位がＶｐになる。
【０１４４】
この実施例におけるＰＤＰは、前述した第１例の場合と同様に、第１〜第３電界制御用電極Ｚ１ｘ１〜Ｚ１ｘ３，Ｚ１ｙ１〜Ｚ１ｙ３が設けられることによって、ＰＤＰの高精細化に伴って放電セルのサイズが縮小される場合でも、サステイン放電時に放電セル内に十分な長さの陽光柱を形成することが出来ることによって発光輝度や発光効率の低下を防止することが出来るとともに、サステイン放電駆動時に、放電セル内における等電位線の第１および第２電界制御用電極Ｚ１ｘ１，Ｚ１ｘ２，Ｚ１ｙ１，Ｚ１ｙ２に対向する部分に形成される湾曲部によって、壁電荷がこの等電位線の湾曲部に沿って中央側に集められるので、サステイン放電によって発生するプラズマが放電セルの中央部に集中して、放電セルを区画する隔壁によるエネルギの損失が低減され、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【０１４５】
そして、この実施例におけるＰＤＰは、行電極Ｘ５，Ｙ５の各透明電極Ｘ５ｂ，Ｙ５ｂがそれぞれ五本の突出電極に分割されて構成されていることにより、電界制御用電極の電位をより細かく設定することが出来るので、壁電荷をより適正な位置に集めることによって、放電セル内において発生されるプラズマのエネルギ損失の低減とこれによるプラズマの発生効率の向上および発光効率の向上をさらに図ることが出来るようになる。
【実施例６】
【０１４６】
図２５は、この発明によるＰＤＰの実施形態の第６実施例を示している。
【０１４７】
この第６実施例のＰＤＰは、行電極Ｘ６，Ｙ６が、それぞれ、一本のバス電極Ｘ６ａ，Ｙ６ａとこのバス電極Ｘ６ａ，Ｙ６ａに接続された透明電極Ｘ６ｂ，Ｙ６ｂによって構成されており、この透明電極Ｘ６ｂ，Ｙ６ｂには、それぞれ中央部に、先端側からバス電極Ｘ６ａ，Ｙ６ａに接続された基端側に向かって行方向の幅が小さくなっているＶ字形の凹部Ｘ６ｂｖ，Ｙ６ｂｖが形成されている。
【０１４８】
この行電極対（Ｘ６，Ｙ６）を被覆する誘電体層の背面の行電極Ｘ６，Ｙ６の各透明電極Ｘ６ｂ，Ｙ６ｂに対向する位置に、それぞれ、第５実施例と同様の互いに同じ大きさの一本の第１電界制御用電極Ｚ１ｘ１，Ｚ１ｙ１，二本の第２電界制御用電極Ｚ１ｘ２，Ｚ１ｙ２，二本の第３電界制御用電極Ｚ１ｘ３，Ｚ１ｙ３が設けられている。
【０１４９】
そして、行電極Ｘ６，Ｙ６の透明電極Ｘ６ｂ，Ｙ６ｂに凹部Ｘ６ｂｖ，Ｙ６ｂｖが形成されていることによって、前面ガラス基板側から見た透明電極Ｘ６ｂ，Ｙ６ｂと各電界制御用電極との重なり面積は、それぞれ、第１電界制御用電極Ｚ１ｘ１，Ｚ１ｙ１との重なり面積が一番小さく、第２電界制御用電極Ｚ１ｘ２，Ｚ１ｙ２との重なり面積，第３電界制御用電極Ｚ１ｘ３，Ｚ１ｙ３との重なり面積の順に大きくなっている。
【０１５０】
このＰＤＰにおいて、行電極Ｘ６，Ｙ６のバス電極Ｘ６ａ，Ｙ６ａに交互にパルス電圧が印加されるときに、第１〜第３電界制御用電極Ｚ１ｘ１〜Ｚ１ｘ３，Ｚ１ｙ１〜Ｚ１ｙ３にそれぞれ発生する電位を示すタイミング・チャートは、第５実施例の場合（図２４）とほぼ同様である。
【０１５１】
従って、この実施例におけるＰＤＰは、前述した第１実施例の場合と同様に、第１〜第３電界制御用電極Ｚ１ｘ１〜Ｚ１ｘ３，Ｚ１ｙ１〜Ｚ１ｙ３が設けられることによって、ＰＤＰの高精細化に伴って放電セルのサイズが縮小される場合でも、サステイン放電時に放電セル内に十分な長さの陽光柱を形成することが出来ることによって発光輝度や発光効率の低下を防止することが出来るとともに、サステイン放電駆動時に、放電セル内における等電位線の第１および第２電界制御用電極Ｚ１ｘ１，Ｚ１ｘ２，Ｚ１ｙ１，Ｚ１ｙ２に対向する部分に形成される湾曲部によって、壁電荷がこの等電位線の湾曲部に沿って中央側に集められるので、サステイン放電によって発生するプラズマが放電セルの中央部に集中して、放電セルを区画する隔壁によるエネルギの損失が低減され、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【０１５２】
そして、この実施例におけるＰＤＰは、行電極Ｘ６側と行電極Ｙ６側のそれぞれ五本の電界制御用電極の電位をより細かく設定することが出来るので、壁電荷をより適正な位置に集めることによって、放電セル内において発生されるプラズマのエネルギ損失の低減とこれによるプラズマの発生効率の向上および発光効率の向上をさらに図ることが出来るようになるとともに、透明電極Ｘ６ｂ，Ｙ６ｂの形成工程を簡易にすることが出来る。
【実施例７】
【０１５３】
図２６は、この発明によるＰＤＰの実施形態の第７実施例を示している。
【０１５４】
この第７実施例のＰＤＰは、行電極Ｘ７，Ｙ７が、それぞれ、一本ずつのバス電極Ｘ７ａ，Ｙ７ａを備えている。
【０１５５】
そして、行電極Ｘ７の透明電極Ｘ７ｂを構成する三本の第１ないし第３突出電極Ｘ７ｂ１〜Ｘ７ｂ３が何れもバス電極Ｘ７ａに接続されているとともに、中央に位置する第１突出電極Ｘ７ｂ１の列方向の長さが一番長く、この第１突出電極Ｘ７ｂ１の両側に位置する第２および第３突出電極Ｘ７ｂ２，Ｘ７ｂ３の列方向の長さが互いに同じで第１突出電極Ｘ７ｂ１よりも短くなるように形成されている。
【０１５６】
行電極Ｙ７も同様に、行電極Ｙ７の透明電極Ｙ７ｂを構成する三本の第１ないし第３突出電極Ｙ７ｂ１〜Ｙ７ｂ３が何れもバス電極Ｙ７ａに接続されているとともに、中央に位置する第１突出電極Ｙ７ｂ１の列方向の長さが一番長く、この第１突出電極Ｙ７ｂ１の両側に位置する第２および第３突出電極Ｙ７ｂ２，Ｙ７ｂ３の列方向の長さが互いに同じで第１突出電極Ｙ７ｂ１よりも短くなるように形成されている。
【０１５７】
このＰＤＰの他の部分の構成は、第１実施例の場合とほぼ同様であり、行電極対（Ｘ７，Ｙ７）を被覆する誘電体層の背面のそれぞれ行電極Ｘ７の第１ないし第３突出電極Ｘ７ｂ１〜Ｘ７ｂ３に対向する位置に互いに同じ大きさの第１〜第３電界制御用電極Ｚｘ１〜Ｚｘ３が形成され、行電極Ｙ７の第１ないし第３突出電極Ｙ７ｂ１〜Ｙ７ｂ３に対向する位置に同じ大きさの第１〜第３電界制御用電極Ｚｙ１〜Ｚｙ３が形成されている。
【０１５８】
従って、前面ガラス基板側から見た第１突出電極Ｘ７ｂ１，Ｙ７ｂ１と第１電界制御用電極Ｚｘ１，Ｚｙ１の重なり面積に対して、第２突出電極Ｘ７ｂ２，Ｙ７ｂ２と第２電界制御用電極Ｚｘ２，Ｚｙ２の重なり面積、および、第３突出電極Ｘ７ｂ３，Ｙ７ｂ３と第３電界制御用電極Ｚｘ３，Ｚｙ３の重なり面積がそれぞれ小さく、第２突出電極Ｘ７ｂ２，Ｙ７ｂ２と第２電界制御用電極Ｚｘ２，Ｚｙ２の重なり面積と第３突出電極Ｘ７ｂ３，Ｙ７ｂ３と第３電界制御用電極Ｚｘ３，Ｚｙ３の重なり面積とは、互いに等しくなっている。
【０１５９】
従って、誘電体層を介した容量結合により、バス電極Ｘ７ａ，Ｙ７ａへのパルス電圧の印加によって第１〜第３電界制御用電極Ｚｘ１〜Ｚｘ３，Ｚｙ１〜Ｚｙ３にそれぞれ発生する電位は、第３実施例の場合と逆の状態になる。
【０１６０】
図２７は、行電極Ｘ７側にパルス電圧が印加された際の放電セル内における電位分布を示しており、図２８は、このときの放電セル内の電子の移動の状態を示している。
【０１６１】
この図２７から分かるように、行電極Ｘ７側にパルス電圧が印加された際には、第１突出電極Ｘ７ｂ１と第１電界制御用電極Ｚｘ１の重なり面積が、それぞれ第２および第３突出電極Ｘ７ｂ２，Ｘ７ｂ３と第２および第３電界制御用電極Ｚｘ２，Ｚｘ３の重なり面積よりも大きいことによって、第１電界制御用電極Ｚｘ１の電位が第２および第３電界制御用電極Ｚｘ２，Ｚｘ３の電位よりも大きくなり、放電セル内の等電位線Ｆ４が中央の第１電界制御用電極Ｚｘ１に対向する部分の付近で電極に接近する方向に盛り上がるので、図２８に示されるように、マイナスの電荷を有する電子ｅが等電位線Ｆ４の湾曲部Ｆ４ａに沿って中央側に集められてゆく。
【０１６２】
なお、この行電極Ｘ７側にパルス電圧が印加された際には、行電極Ｙ７側の第１電界制御用電極Ｚｙ１の電位は第２および第３電界制御用電極Ｚｙ２，Ｚｙ３の電位よりも小さくなっているので、中央の第１電界制御用電極Ｚｙ１に対向する部分の等電位線Ｆ４が第１電界制御用電極Ｚｙ１から離間する方向に湾曲するため、中央に集められながら行電極Ｘ７側から行電極Ｙ７側に到達した電子ｅがこの等電位線Ｆ４の湾曲部Ｆ４ｂに沿って外側に拡散されることになるが、この電子ｅは行電極Ｙ７側に到達後に直ぐに誘電体層の表面に蓄積されることになるので、等電位線Ｆ４の盛り上がり部Ｆ４ｂによる電子ｅの拡散の影響は、極僅かである。
【０１６３】
行電極Ｙ７側にパルス電子が印加される際には、行電極Ｘ７とＹ７側が逆になって、同様の現象が生じる。
【０１６４】
以上のように、この実施例におけるＰＤＰは、前述した第１例の場合と同様に、第１〜第３電界制御用電極Ｚｘ１〜Ｚｘ３，Ｚｙ１〜Ｚｙ３が設けられることによって、ＰＤＰの高精細化に伴って放電セルのサイズが縮小される場合でも、サステイン放電時に放電セル内に十分な長さの陽光柱を形成することが出来、これによって、発光輝度や発光効率の低下を防止することが出来るとともに、サステイン放電駆動時に、放電セル内の等電位線Ｆ４の第１電界制御用電極Ｚｘ１，Ｚｙ１に対向する部分に形成される盛り上がり部Ｆ４ａによって、マイナス電子ｅがこの等電位線Ｆ４の盛り上がり部Ｆ４ａに沿って中央側に集められるので、サステイン放電によって発生するプラズマが放電セルの中央部に集中して、放電セルを区画する隔壁によるエネルギの損失が低減され、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【０１６５】
上記第１および第２実施例のＰＤＰは、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、この行電極対を構成する各行電極の電極本体部がそれぞれ複数のバス電極を有し、各透明電極が行方向に並設された三個以上の複数の突出電極を有し、各突出電極が、対になっている他方の行電極の透明電極の複数の突出電極とそれぞれ互いに対になって対向され、透明電極の行方向において中央側に位置する突出電極と両側に位置する突出電極とが、電極本体部の互いに異なるバス電極に接続され、透明電極と誘電体層を挟んで対向する放電空間側の位置に透明電極の各突出電極にそれぞれ対応する複数の各々独立した電界制御用電極が設けられて、各電界制御用電極が、それぞれ対応する突出電極毎に基板の厚さ方向において対向して誘電体層を介して容量結合されている実施形態のＰＤＰを、その上位概念の実施形態としている。
【０１６６】
この実施形態におけるＰＤＰは、行電極の透明電極の各突出電極に対向してそれぞれ誘電体層を介して突出電極に容量結合された複数の電界制御用電極が設けられていることによって、行電極対における透明電極間で放電が発生される際に、互いに対になっている透明電極に対応して対になっている電界制御用電極間に所要の電位差が発生して、単位発光領域内に発生するグロー放電プラズマの陰極降下部が、各電界制御用電極の近傍に限定されてその長さが短くなるので、その分、単位発光領域内において発生するプラズマの陽光柱の長さが長くなり、これによって、ＰＤＰの高精細化に伴って放電セルのサイズが縮小される場合でも、サステイン放電時に放電セル内に十分な長さの陽光柱を形成することが出来ることによって発光輝度や発光効率の低下を防止することが出来る。
【０１６７】
そして、このＰＤＰは、行電極対における透明電極間で放電が発生される際に、透明電極の行方向において中央側に位置する突出電極と両側に位置する突出電極に異なる大きさの電圧を印加して、それぞれの突出電極に誘電体層を介して容量結合された各電界制御用電極により単位発光領域内に形成される等電位線に歪みを発生させ、この等電位線の歪みに沿って壁電荷または電子を単位発光領域の中央側に集めることによって、透明電極間の放電によって発生するプラズマを単位発光領域の中央部に集中させて、単位発光領域の周囲の例えば隔壁等の構造物によるエネルギの損失を低減することが出来、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【０１６８】
また、上記第３ないし第５，第７実施例のＰＤＰは、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、前記透明電極が行方向に並設された三個以上の複数の突出電極を有し、各突出電極が、対になっている他方の行電極の透明電極の複数の突出電極とそれぞれ互いに対になって対向され、前記透明電極と誘電体層を挟んで対向する放電空間側の位置に透明電極の各突出電極にそれぞれ対応する各々独立した複数の電界制御用電極が設けられて、各電界制御用電極が、それぞれ対応する突出電極毎に基板の厚さ方向において対向して誘電体層を介して容量結合されているとともに、前記透明電極の行方向において中央側に位置する突出電極とこの突出電極に誘電体層を挟んで対向する電界制御用電極との基板の厚さ方向における重なり面積と、両側に位置する突出電極とこの突出電極に誘電体層を挟んで対向する電界制御用電極との基板の厚さ方向における重なり面積とが互いに異なっている実施形態のＰＤＰを、その上位概念の実施形態としている。
【０１６９】
この実施形態におけるＰＤＰは、行電極の透明電極の各突出電極に対向してそれぞれ誘電体層を介して突出電極に容量結合された複数の電界制御用電極が設けられていることによって、行電極対における透明電極間で放電が発生される際に、互いに対になっている透明電極に対応して対になっている電界制御用電極間に所要の電位差が発生して、単位発光領域内に発生するグロー放電プラズマの陰極降下部が、各電界制御用電極の近傍に限定されてその長さが短くなるので、その分、単位発光領域内において発生するプラズマの陽光柱の長さが長くなり、これによって、ＰＤＰの高精細化に伴って放電セルのサイズが縮小される場合でも、サステイン放電時に放電セル内に十分な長さの陽光柱を形成することが出来ることによって発光輝度や発光効率の低下を防止することが出来る。
【０１７０】
そして、このＰＤＰは、行電極対を構成する行電極に電圧を印加して、この行電極対における透明電極間で放電が発生される際に、透明電極の行方向において中央側に位置する突出電極とこの突出電極に誘電体層を挟んで対向する電界制御用電極との基板の厚さ方向における重なり面積と、両側に位置する突出電極とこの突出電極に誘電体層を挟んで対向する電界制御用電極との基板の厚さ方向における重なり面積とが互いに異なっていることによって、それぞれの突出電極に誘電体層を介して容量結合された各電界制御用電極により単位発光領域内に形成される等電位線に歪みが発生され、この等電位線の歪みに沿って壁電荷または電子が単位発光領域の中央側に集められるので、透明電極間の放電によって発生するプラズマを単位発光領域の中央部に集中させて、単位発光領域の周囲の例えば隔壁によるエネルギの損失を低減することが出来、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【０１７１】
また、上記第６実施例のＰＤＰは、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、前記行電極対を構成する各行電極が、それぞれ、行方向に延びる電極本体部と、この電極本体部の所要の間隔位置に接続されて対になっている相手の行電極の側に列方向に延びて互いに放電ギャップを介して対向される複数の透明電極を有し、前記透明電極と誘電体層を挟んで対向する放電空間側の位置に行方向に並設されて透明電極と誘電体層を介して容量結合されるとともに各々独立した複数の電界制御用電極が設けられて、前記透明電極が、電極本体部からの列方向の長さが行方向の中央位置からそれぞれ外側にゆくにしたがって変化する形状を有していて、この透明電極とこの透明電極に誘電体層を挟んで対向する各電界制御用電極との基板の厚さ方向における重なり面積が、透明電極の行方向における中央位置からそれぞれ外側にゆくにしたがって変化している実施形態のＰＤＰを、その上位概念の実施形態の一つとしている。
【０１７２】
この実施形態におけるＰＤＰは、行電極の透明電極に対向してそれぞれ誘電体層を介して突出電極に容量結合された複数の電界制御用電極が設けられていることによって、行電極対における透明電極間で放電が発生される際に、互いに対になっている透明電極に対応して対になっている電界制御用電極間に所要の電位差が発生されて、単位発光領域内に発生するグロー放電プラズマの陰極降下部が、各電界制御用電極の近傍に限定されてその長さが短くなるので、その分、単位発光領域内において発生するプラズマの陽光柱の長さが長くなり、これによって、ＰＤＰの高精細化に伴って放電セルのサイズが縮小される場合でも、サステイン放電時に放電セル内に十分な長さの陽光柱を形成することが出来ることによって発光輝度や発光効率の低下を防止することが出来る。
【０１７３】
そして、このＰＤＰは、透明電極が、電極本体部からの列方向の長さが行方向の中央位置からそれぞれ外側にゆくにしたがって変化する形状を有していて、この透明電極とこの透明電極に誘電体層を挟んで対向する各電界制御用電極との基板の厚さ方向における重なり面積が、透明電極の行方向における中央位置からそれぞれ外側にゆくにしたがって変化していることによって、行電極対を構成する行電極に電圧を印加して、この行電極対における透明電極間で放電が発生される際に、透明電極に誘電体層を介して容量結合された各電界制御用電極によって単位発光領域内に形成される等電位線に歪みが発生され、この等電位線の歪みに沿って壁電荷または電子が単位発光領域の中央側に集められるので、透明電極間の放電によって発生するプラズマを単位発光領域の中央部に集中させて、単位発光領域の周囲の例えば隔壁等の構造物によるエネルギの損失を低減することが出来、これによって、プラズマの発生効率の向上とこれに伴う発光効率の向上が図られることにより、ＰＤＰの高精細化による放電セルのサイズの縮小に伴う輝度低下防止をさらに図ることが出来るようになる。
【図面の簡単な説明】
【０１７４】
【図１】この発明の従来例の説明図である。
【図２】プラズマ放電管におけるグロー放電の発生状態を示す説明図である。
【図３】この発明の第１実施例におけるＰＤＰの正面図である。
【図４】図３のＶ−Ｖ線における断面図である。
【図５】図３のＷ−Ｗ線における断面図である。
【図６】同実施例における強電界領域の発生状態を示す説明図である。
【図７】同実施例のＰＤＰの駆動方法の第１例を示すタイミング・チャートである。
【図８】同実施例のＰＤＰへのパルス電圧の印加状態を示す説明図である。
【図９】同実施例における壁電荷の移動の状態を示す説明図である。
【図１０】同実施例における放電セル内に形成される等電位線の状態を示す説明図である。
【図１１】同実施例におけるプラズマ放電の発生状態を示す断面図である。
【図１２】同実施例のＰＤＰの駆動方法の第２例を示すタイミング・チャートである。
【図１３】同実施例において図１２の駆動方法によって放電セル内に形成される等電位線の状態を示す説明図である。
【図１４】同実施例において図１２の駆動方法による壁電荷の移動の状態を示す説明図である。
【図１５】同実施例のＰＤＰの駆動方法の第３例を示すタイミング・チャートである。
【図１６】この発明の第２実施例におけるＰＤＰの行電極の構成を示す正面図である。
【図１７】この発明の第３実施例におけるＰＤＰの行電極の構成を示す正面図である。
【図１８】同実施例において電界制御用電極に発生する電位を示すタイミング・チャートである。
【図１９】同実施例において放電セル内に形成される等電位線の状態を示す説明図である。
【図２０】同実施例における壁電荷の移動の状態を示す説明図である。
【図２１】この発明の第４実施例におけるＰＤＰの行電極の構成を示す正面図である。
【図２２】同実施例において電界制御用電極に発生する電位を示すタイミング・チャートである。
【図２３】この発明の第５実施例におけるＰＤＰの行電極の構成を示す正面図である。
【図２４】同実施例において電界制御用電極に発生する電位を示すタイミング・チャートである。
【図２５】この発明の第６実施例におけるＰＤＰの行電極の構成を示す正面図である。
【図２６】この発明の第７実施例におけるＰＤＰの行電極の構成を示す正面図である。
【図２７】同実施例における放電セル内に形成される等電位線の状態を示す説明図である。
【図２８】同実施例における電子の移動の状態を示す説明図である。
【符号の説明】
【０１７５】
１              …前面ガラス基板（基板）
６              …隔壁
１２            …誘電体層
１３            …保護層
Ｂ              …強電界領域
Ｃ１            …放電セル（単位発光領域）
Ｄ              …列電極
Ｅｘ，Ｅｙ                          …電極
Ｆ１〜Ｆ４                          …等電位線  
Ｆ１ａ〜Ｆ３ａ，Ｆ４ｂ              …湾曲部（歪み）
Ｆ３ｂ，Ｆ４ａ                      …盛り上がり部（歪み）
ＰＣ１                              …陽光柱
Ｖ１，Ｖ２，Ｖ１１，Ｖ１２，Ｖ２１，Ｖ２２，Ｖｐ  …パルス電圧
Ｘ１〜Ｘ７，Ｙ１〜Ｙ７              …行電極
Ｘ１ａ，Ｘ３ａ〜Ｘ７ａ，Ｙ１ａ，Ｙ３ａ〜Ｙ７ａ  …バス電極（電極本体）
Ｘ１ａ１，Ｘ２ａ１，Ｙ１ａ１，Ｙ２ａ１          …第１バス電極
Ｘ１ａ２，Ｘ２ａ２，Ｙ１ａ２，Ｙ２ａ２          …第２バス電極
Ｘ１ｂ，Ｘ３ｂ〜Ｘ７ｂ，Ｙ１ｂ，Ｙ３ｂ〜Ｙ７ｂ  …透明電極
Ｘ１ｂ１〜Ｘ５ｂ１，Ｘ７ｂ１，Ｙ１ｂ１〜Ｙ５ｂ１，Ｙ７ｂ１
…第１突出電極  
Ｘ１ｂ２〜Ｘ５ｂ２，Ｘ７ｂ２，Ｙ１ｂ２〜Ｙ５ｂ２，Ｙ７ｂ２
…第２突出電極  
Ｘ１ｂ３〜Ｘ５ｂ３，Ｘ７ｂ３，Ｙ１ｂ３〜Ｙ５ｂ３，Ｙ７ｂ３
…第３突出電極  
Ｘ２ｃ１，Ｘ２ｃ２，Ｙ２ｃ１，Ｙ２ｃ２          …接続部
Ｘ６ｂｖ，Ｙ６ｂｖ                              …凹部
Ｚｘ１，Ｚ１ｘ１，Ｚｙ１，Ｚ１ｙ１  …第１電界制御用電極
Ｚｘ２，Ｚ１ｘ２，Ｚｙ２，Ｚ１ｙ２  …第２電界制御用電極
Ｚｘ３，Ｚ１ｘ３，Ｚｙ３，Ｚ１ｙ３  …第３電界制御用電極
Ｚｍ            …本体
Ｚｎ            …突起
ｅ              …電子
ｇ              …放電ギャップ
ｗ              …壁電荷
【図１】
2008108506.tif 000003
【図２】
2008108506.tif 000004
【図３】
2008108506.tif 000005
【図４】
2008108506.tif 000006
【図５】
2008108506.tif 000007
【図６】
2008108506.tif 000008
【図７】
2008108506.tif 000009
【図８】
2008108506.tif 000010
【図９】
2008108506.tif 000011
【図１０】
2008108506.tif 000012
【図１１】
2008108506.tif 000013
【図１２】
2008108506.tif 000014
【図１３】
2008108506.tif 000015
【図１４】
2008108506.tif 000016
【図１５】
2008108506.tif 000017
【図１６】
2008108506.tif 000018
【図１７】
2008108506.tif 000019
【図１８】
2008108506.tif 000020
【図１９】
2008108506.tif 000021
【図２０】
2008108506.tif 000022
【図２１】
2008108506.tif 000023
【図２２】
2008108506.tif 000024
【図２３】
2008108506.tif 000025
【図２４】
2008108506.tif 000026
【図２５】
2008108506.tif 000027
【図２６】
2008108506.tif 000028
【図２７】
2008108506.tif 000029
【図２８】
2008108506.tif 000030